(57)【要約】      （修正有）【課題】緊急コールサービスを可能にするためのシステムおよび方法を提供する。【解決手段】ユーザ機器（ＵＥ）の構成パラメータを修正することを含み、構成パラメータが、ワイヤレス通信システム内のネットワーク選択、セル選択または再選択、あるいはサービス選択のうちの少なくとも１つに関係し、修正された構成パラメータが、ＵＥにおいて緊急コールをサポートするように構成されたネットワーク、セルまたはサービスについてのＵＥによる優先を生じる。パケット交換サービスよりも回線交換サービスを優先させること、回線交換音声サービスを優先的にまたは排他的に利用すること、および／またはＵＥの元のサービングネットワークよりも、緊急コールサービスを提供するように構成されたネットワークを優先させることを含む。修正された構成は、ネットワークからＵＥへのコールバックサービスを可能にすることができる。【選択図】図１
2014090476.tif 000002
【特許請求の範囲】
【請求項１】
ワイヤレス通信システムにおける緊急コールサービスを可能にするための方法であって、前記方法が、
ユーザ機器の構成パラメータを修正することであって、前記構成パラメータが、前記ワイヤレス通信システム内のネットワーク選択、セル選択または再選択、あるいはサービス選択のうちの少なくとも１つに関係し、修正された構成パラメータが、前記ユーザ機器による優先を生じ、前記ユーザ機器による前記優先が、前記ユーザ機器によって緊急コールをサポートするように構成されたネットワーク、セルまたはサービスについてである、修正すること
を備える、方法。
【請求項２】
前記構成パラメータが、前記ユーザ機器の領域優先モードを示す情報を含み、前記領域優先モードが回線交換領域またはパケット交換領域中の動作についての相対的優先度を備え、
前記方法が、少なくとも前記構成パラメータを前記修正することに基づいて、パケット交換サービスよりも回線交換サービスを優先させることをさらに備える、請求項１に記載の方法。
【請求項３】
前記ユーザ機器による動作が、構成パラメータを修正することより前にパケット交換モードにあり、前記構成パラメータが、前記ユーザ機器に緊急コールサービスを提供するように構成されたネットワークを示す情報を含む、請求項１に記載の方法。
【請求項４】
回線交換音声サービスを含む複数の音声サービスが前記ユーザ機器にとって利用可能であり、前記構成パラメータが、前記ユーザ機器の音声領域の優先を示す情報を含み、
前記方法が、少なくとも前記構成パラメータを前記修正することに基づいて、前記回線交換音声サービスを優先的にまたは排他的に利用することをさらに備える、請求項１に記載の方法。
【請求項５】
前記構成パラメータが複数のセル再選択優先度を示す情報を含み、前記ワイヤレス通信システムが複数のネットワークを含み、前記複数のネットワークのうちの少なくとも１つが前記ユーザ機器の元のサービングネットワークであり、前記複数のネットワークのうちの少なくとも別のネットワークが、前記ユーザ機器に緊急コールサービスを提供するように構成されたネットワークであり、
前記方法が、少なくとも前記構成パラメータを前記修正することに基づいて、前記ユーザ機器の前記元のサービングネットワークよりも、前記ユーザ機器に緊急コールサービスを提供するように構成された前記ネットワークを優先させることをさらに備える、請求項１に記載の方法。
【請求項６】
前記構成パラメータが複数のセル再選択優先度を示す情報を含み、前記ワイヤレス通信システムが複数のネットワークを含み、前記複数のネットワークのうちの少なくとも１つが前記ユーザ機器の元のサービングネットワークであり、前記複数のネットワークのうちの少なくとも別のネットワークが、前記ユーザ機器に緊急コールサービスを提供するように構成されたネットワークであり、
前記方法は、少なくとも、前記ユーザ機器が前記元のサービングネットワークから音声サービスを取得することができるかどうかについての前記ユーザ機器による判断に基づいて、前記ユーザ機器に緊急コールサービスを提供するように構成された前記ネットワーク、または前記ユーザ機器の前記元のサービングネットワークを優先させることをさらに備える、請求項１に記載の方法。
【請求項７】
前記構成パラメータが複数のセル再選択優先度を示す情報を含み、前記ワイヤレス通信システムが複数のネットワークを含み、前記複数のネットワークのうちの少なくとも１つが前記ユーザ機器の元のサービングネットワークであり、前記複数のネットワークのうちの少なくとも別のネットワークが、前記ユーザ機器に緊急コールサービスを提供するように構成されたネットワークであり、
前記方法が、少なくとも前記構成パラメータを前記修正することに基づいて、前記ユーザ機器の前記元のサービングネットワークとの通信を無効化することと、前記ユーザ機器に緊急コールサービスを提供するように構成された前記ネットワークを優先することとをさらに備える、請求項１に記載の方法。
【請求項８】
ユーザ機器の構成パラメータを前記修正することが、前記ユーザ機器によって自律的に実行される、請求項１に記載の方法。
【請求項９】
前記ユーザ機器が電源切断されること、またはタイマーが満了することのうちの少なくとも１つが起こるまで、修正された構成パラメータの値が残存する、請求項１に記載の方法。
【請求項１０】
前記タイマーの値が前記ユーザ機器において構成される、請求項９に記載の方法。
【請求項１１】
前記タイマーの値が、前記ワイヤレス通信システムのネットワークによって構成され、前記ワイヤレス通信システムの前記ネットワークによって前記ユーザ機器に送信される、請求項９に記載の方法。
【請求項１２】
前記タイマーの値が、緊急コールのコールバックを実行するための時間よりも大きい、請求項９に記載の方法。
【請求項１３】
コンピュータに前記コンピュータの構成パラメータを修正させるためのコードの第１のセットであって、前記構成パラメータが、ワイヤレス通信システム内のネットワーク選択、セル選択または再選択、あるいはサービス選択のうちの少なくとも１つに関係し、修正された構成パラメータが、ユーザ機器によって緊急コールをサポートするように構成されたネットワーク、セルまたはサービスについての前記コンピュータによる優先を生じ、前記コンピュータが前記ユーザ機器中に含まれる、コードの第１のセットを備える、コンピュータ可読媒体
を備える、コンピュータプログラム製品。
【請求項１４】
前記構成パラメータが、前記コンピュータの領域優先モードを示す情報を含み、前記領域優先モードが回線交換領域またはパケット交換領域中の動作についての相対的優先度を備え、
前記コンピュータプログラム製品が、少なくとも前記構成パラメータを前記修正することに基づいて、前記コンピュータに、パケット交換サービスよりも回線交換サービスを優先させるためのコードの第２のセットをさらに備える、請求項１３に記載のコンピュータプログラム製品。
【請求項１５】
前記コンピュータが、構成パラメータを修正することより前にパケット交換モードで動作するように構成され、前記構成パラメータが、前記コンピュータに緊急コールサービスを提供するように構成されたネットワークを示す情報を含む、請求項１３に記載のコンピュータプログラム製品。
【請求項１６】
回線交換音声サービスを含む複数の音声サービスが前記ユーザ機器にとって利用可能であり、前記構成パラメータが前記コンピュータの音声領域の優先を示す情報を含み、
前記コンピュータプログラム製品が、少なくとも前記構成パラメータを前記修正することに基づいて、前記コンピュータに、前記回線交換音声サービスを優先的にまたは排他的に利用させるためのコードの第２のセットをさらに備える、請求項１３に記載のコンピュータプログラム製品。
【請求項１７】
前記構成パラメータが複数のセル再選択優先度を示す情報を含み、前記ワイヤレス通信システムが複数のネットワークを含み、前記複数のネットワークのうちの少なくとも１つが前記コンピュータの元のサービングネットワークであり、前記複数のネットワークのうちの少なくとも別のネットワークが、前記コンピュータに緊急コールサービスを提供するように構成されたネットワークであり、
前記コンピュータプログラム製品が、少なくとも前記構成パラメータを前記修正することに基づいて、前記コンピュータに、前記コンピュータの前記元のサービングネットワークよりも、前記コンピュータに緊急コールサービスを提供するように構成された前記ネットワークを優先させるためのコードの第２のセットをさらに備える、請求項１３に記載のコンピュータプログラム製品。
【請求項１８】
前記構成パラメータが複数のセル再選択優先度を示す情報を含み、前記ワイヤレス通信
システムが複数のネットワークを含み、前記複数のネットワークのうちの少なくとも１つが前記ユーザ機器の元のサービングネットワークであり、前記複数のネットワークのうちの少なくとも別のネットワークが、前記コンピュータに緊急コールサービスを提供するように構成されたネットワークであり、
前記コンピュータプログラム製品は、少なくとも、前記コンピュータが前記元のサービングネットワークから音声サービスを取得することができるかどうかについての前記コンピュータによる判断に基づいて、前記コンピュータに、前記コンピュータに緊急コールサービスを提供するように構成された前記ネットワーク、または前記コンピュータの前記元のサービングネットワークを優先させるためのコードの第２のセットをさらに備える、請求項１３に記載のコンピュータプログラム製品。
【請求項１９】
前記構成パラメータが複数のセル再選択優先度を示す情報を含み、前記ワイヤレス通信システムが複数のネットワークを含み、前記複数のネットワークのうちの少なくとも１つが前記コンピュータの元のサービングネットワークであり、前記複数のネットワークのうちの少なくとも別のネットワークが、前記コンピュータに緊急コールサービスを提供するように構成されたネットワークであり、
前記コンピュータプログラム製品が、少なくとも前記構成パラメータを前記修正することに基づいて、前記コンピュータに、前記コンピュータの前記元のサービングネットワークとの通信を無効化させ、前記コンピュータに緊急コールサービスを提供するように構成された前記ネットワークを優先させるためのコードの第２のセットをさらに備える、請求項１３に記載のコンピュータプログラム製品。
【請求項２０】
コンピュータの構成パラメータを前記修正することが、前記コンピュータによって自律的に実行される、請求項１３に記載のコンピュータプログラム製品。
【請求項２１】
前記コンピュータが電源切断されること、またはタイマーが満了することのうちの少なくとも１つが起こるまで、修正された構成パラメータの値が残存する、請求項１３に記載のコンピュータプログラム製品。
【請求項２２】
前記タイマーの値が前記コンピュータにおいて構成される、請求項２１に記載のコンピュータプログラム製品。
【請求項２３】
前記タイマーの値が、前記ワイヤレス通信システムのネットワークによって構成され、前記ワイヤレス通信システムの前記ネットワークによって前記コンピュータに送信される、請求項２１に記載のコンピュータプログラム製品。
【請求項２４】
前記タイマーの値が、緊急コールのコールバックを実行するための時間よりも大きい、請求項２１に記載のコンピュータプログラム製品。
【請求項２５】
装置であって、
ユーザ機器の構成パラメータを修正するための手段であって、前記構成パラメータが、ワイヤレス通信システム内のネットワーク選択、セル選択または再選択、あるいはサービス選択のうちの少なくとも１つに関係し、修正された構成パラメータが、前記装置による緊急コールをサポートするように構成されたネットワーク、セルまたはサービスについての前記装置による優先を生じる、修正するための手段を備える、装置。
【請求項２６】
前記構成パラメータが、前記装置の領域優先モードを示す情報を含み、前記領域優先モードが回線交換領域またはパケット交換領域中の動作についての相対的優先度を備え、
前記装置が、少なくとも前記構成パラメータを前記修正することに基づいて、パケット交換サービスよりも回線交換サービスを優先させるための手段をさらに備える、請求項２５に記載の装置。
【請求項２７】
前記装置が、構成パラメータを修正することより前にパケット交換モードで動作するように構成され、前記構成パラメータが、前記装置に緊急コールサービスを提供するように構成されたネットワークを示す情報を含む、請求項２５に記載の装置。
【請求項２８】
回線交換音声サービスを含む複数の音声サービスが前記装置にとって利用可能であり、前記構成パラメータが前記装置の音声領域の優先を示す情報を含み、
前記装置が、少なくとも前記構成パラメータを前記修正することに基づいて、前記回線交換音声サービスを優先的にまたは排他的に利用するための手段をさらに備える、請求項２５に記載の装置。
【請求項２９】
前記構成パラメータが複数のセル再選択優先度を示す情報を含み、前記ワイヤレス通信システムが複数のネットワークを含み、前記複数のネットワークのうちの少なくとも１つが前記装置の元のサービングネットワークであり、前記複数のネットワークのうちの少なくとも別のネットワークが、前記装置に緊急コールサービスを提供するように構成されたネットワークであり、
前記装置が、少なくとも前記構成パラメータを前記修正することに基づいて、前記装置の前記元のサービングネットワークよりも、前記装置に緊急コールサービスを提供するように構成された前記ネットワークを優先させるための手段をさらに備える、請求項２５に記載の装置。
【請求項３０】
前記構成パラメータが複数のセル再選択優先度を示す情報を含み、前記ワイヤレス通信システムが複数のネットワークを含み、前記複数のネットワークのうちの少なくとも１つが前記装置の元のサービングネットワークであり、前記複数のネットワークのうちの少なくとも別のネットワークが、前記装置に緊急コールサービスを提供するように構成されたネットワークであり、
前記装置は、少なくとも、前記ユーザ機器が前記元のサービングネットワークから音声サービスを取得することができるかどうかについての前記装置による判断に基づいて、前記装置に緊急コールサービスを提供するように構成された前記ネットワーク、または前記装置の前記元のサービングネットワークを優先させるための手段をさらに備える、請求項２５に記載の装置。
【請求項３１】
前記構成パラメータが複数のセル再選択優先度を示す情報を含み、前記ワイヤレス通信システムが複数のネットワークを含み、前記複数のネットワークのうちの少なくとも１つが前記装置の元のサービングネットワークであり、前記複数のネットワークのうちの少なくとも別のネットワークが、前記装置に緊急コールサービスを提供するように構成されたネットワークであり、
前記装置が、少なくとも前記構成パラメータを前記修正することに基づいて、前記装置の前記元のサービングネットワークとの通信を無効化し、前記装置に緊急コールサービスを提供するように構成された前記ネットワークを優先するための手段をさらに備える、請求項２５に記載の装置。
【請求項３２】
装置の構成パラメータを前記修正することが、前記ユーザ機器によって自律的に実行される、請求項２５に記載の装置。
【請求項３３】
前記装置が電源切断されること、またはタイマーが満了することのうちの少なくとも１つが起こるまで、修正された構成パラメータの値が残存する、請求項２５に記載の装置。
【請求項３４】
前記タイマーの値が前記装置において構成される、請求項３３に記載の装置。
【請求項３５】
前記タイマーの値が、前記ワイヤレス通信システムのネットワークによって構成され、前記ワイヤレス通信システムの前記ネットワークによって前記装置に送信される、請求項３３に記載の装置。
【請求項３６】
前記タイマーの値が、緊急コールのコールバックを実行するための時間よりも大きい、請求項３３に記載の装置。
【請求項３７】
装置であって、
ユーザ機器の構成パラメータを修正することであって、前記構成パラメータが、ワイヤレス通信システム内のネットワーク選択、セル選択または再選択、あるいはサービス選択のうちの少なくとも１つに関係し、修正された構成パラメータが、前記装置による緊急コールをサポートするように構成されたネットワーク、セルまたはサービスについての前記装置による優先を生じ、前記装置がユーザ機器である、修正すること
を行うように構成された構成モジュール
を備える、装置。
【請求項３８】
前記構成パラメータが、前記装置の領域優先モードを示す情報を含み、前記領域優先モードが回線交換領域またはパケット交換領域中の動作についての相対的優先度を備え、
前記構成モジュールが、少なくとも前記構成パラメータを前記修正することに基づいて、パケット交換サービスよりも回線交換サービスを優先させるようにさらに構成された、請求項３７に記載の装置。
【請求項３９】
前記装置が、構成パラメータを修正することより前にパケット交換モードで動作するように構成され、前記構成パラメータが、前記装置に緊急コールサービスを提供するように構成されたネットワークを示す情報を含む、請求項３７に記載の装置。
【請求項４０】
回線交換音声サービスを含む複数の音声サービスが前記装置にとって利用可能であり、前記構成パラメータが前記装置の音声領域の優先を示す情報を含み、
前記構成モジュールが、少なくとも前記構成パラメータを前記修正することに基づいて、前記回線交換音声サービスを優先的にまたは排他的に利用するようにさらに構成された、請求項３７に記載の装置。
【請求項４１】
前記構成パラメータが複数のセル再選択優先度を示す情報を含み、前記ワイヤレス通信システムが複数のネットワークを含み、前記複数のネットワークのうちの少なくとも１つが前記装置の元のサービングネットワークであり、前記複数のネットワークのうちの少なくとも別のネットワークが、前記装置に緊急コールサービスを提供するように構成されたネットワークであり、
前記構成モジュールが、少なくとも前記構成パラメータを前記修正することに基づいて、前記装置の前記元のサービングネットワークよりも、前記装置に緊急コールサービスを提供するように構成された前記ネットワークを優先させるようにさらに構成された、請求項３７に記載の装置。
【請求項４２】
前記構成パラメータが複数のセル再選択優先度を示す情報を含み、前記ワイヤレス通信システムが複数のネットワークを含み、前記複数のネットワークのうちの少なくとも１つが前記装置の元のサービングネットワークであり、前記複数のネットワークのうちの少なくとも別のネットワークが、前記装置に緊急コールサービスを提供するように構成されたネットワークであり、
前記構成モジュールは、少なくとも、前記ユーザ機器が前記元のサービングネットワークから音声サービスを取得することができるかどうかについての前記装置による判断に基づいて、前記装置に緊急コールサービスを提供するように構成された前記ネットワーク、または前記装置の前記元のサービングネットワークを優先させるようにさらに構成された、請求項３７に記載の装置。
【請求項４３】
前記構成パラメータが複数のセル再選択優先度を示す情報を含み、前記ワイヤレス通信システムが複数のネットワークを含み、前記複数のネットワークのうちの少なくとも１つが前記装置の元のサービングネットワークであり、前記複数のネットワークのうちの少なくとも別のネットワークが、前記装置に緊急コールサービスを提供するように構成されたネットワークであり、
前記構成モジュールが、少なくとも前記構成パラメータを前記修正することに基づいて、前記装置の前記元のサービングネットワークとの通信を無効化し、前記装置に緊急コールサービスを提供するように構成された前記ネットワークを優先するようにさらに構成された、請求項３７に記載の装置。
【請求項４４】
装置の構成パラメータを前記修正することが、前記ユーザ機器によって自律的に実行される、請求項３７に記載の装置。
【請求項４５】
前記装置が電源切断されること、またはタイマーが満了することのうちの少なくとも１つが起こるまで、修正された構成パラメータの値が残存する、請求項３７に記載の装置。
【請求項４６】
前記タイマーの値が前記装置において構成される、請求項４５に記載の装置。
【請求項４７】
前記タイマーの値が、前記ワイヤレス通信システムのネットワークによって構成され、前記ワイヤレス通信システムの前記ネットワークによって前記装置に送信される、請求項４５に記載の装置。
【請求項４８】
前記タイマーの値が、緊急コールのコールバックを実行するための時間よりも大きい、請求項４５に記載の装置。
【請求項４９】
ワイヤレス通信システムにおける緊急コールサービスを可能にするための方法であって、前記方法が、
ユーザ機器から緊急コールの開始についての要求を示す情報を受信することと、
緊急コールサービスを受信すること、または前記ユーザ機器に緊急コールサービスを提供することであって、受信すること、または提供することは、少なくとも、前記ユーザ機器がユーザ機器の構成パラメータを修正することに基づいてネットワークによって実行され、前記構成パラメータが、前記ワイヤレス通信システム内のネットワーク選択、セル選択または再選択、あるいはサービス選択のうちの少なくとも１つに関係し、修正された構成パラメータが、前記ネットワークについての前記ユーザ機器による優先を生じる、受信すること、または提供することと
を備える、方法。
【請求項５０】
修正された構成パラメータの値が残存する間、ユーザ機器に緊急コールサービスを前記提供することが実行され、前記ユーザ機器が電源切断されること、またはタイマーが満了することのうちの少なくとも１つが起こるまで、修正された構成パラメータの前記値が残存する、請求項４９に記載の方法。
【請求項５１】
緊急コールの終了または失敗後に、前記ユーザ機器に対して前記緊急コールのコールバックを開始することをさらに備え、前記修正された構成パラメータの前記値が残存する間、コールバックを開始することが実行される、請求項５０に記載の方法。
【請求項５２】
コンピュータに、ユーザ機器から緊急コールの開始についての要求を示す情報を受信させるためのコードの第１のセットと、
前記コンピュータに、緊急コールサービスを受信すること、または前記ユーザ機器に緊急コールサービスを提供することを行わせるためのコードの第２のセットであって、受信すること、または提供することは、少なくとも、前記ユーザ機器がユーザ機器の構成パラメータを修正することに基づいて前記コンピュータによって実行され、前記構成パラメータが、ワイヤレス通信システム内のネットワーク選択、セル選択または再選択、あるいはサービス選択のうちの少なくとも１つに関係し、修正された構成パラメータが、前記ユーザ機器に緊急コールサービスを提供するように構成されたネットワークについての前記ユーザ機器による優先を生じる、コードの第２のセットと
を備える、コンピュータ可読媒体
を備える、コンピュータプログラム製品。
【請求項５３】
修正された構成パラメータの値が残存する間、緊急コールサービスを受信すること、またはユーザ機器に緊急コールサービスを提供することが実行され、前記ユーザ機器が電源切断されること、またはタイマーが満了することのうちの少なくとも１つが起こるまで、修正された構成パラメータの前記値が残存する、請求項５２に記載のコンピュータプログラム製品。
【請求項５４】
前記コンピュータに、前記緊急コールの終了または失敗後に、前記ユーザ機器に対して緊急コールのコールバックを開始させるためのコードの第３のセットであって、修正された構成パラメータの前記値が残存する間、コールバックを開始することが実行される、コードの第３のセットをさらに備える、請求項５３に記載のコンピュータプログラム製品。
【請求項５５】
装置であって、
ユーザ機器から緊急コールの開始についての要求を示す情報を受信するための手段と、
緊急コールサービスを受信すること、または前記ユーザ機器に緊急コールサービスを提供するための手段であって、受信すること、または提供することが、少なくとも、前記ユーザ機器がユーザ機器の構成パラメータを修正することに基づいて前記装置によって実行され、前記構成パラメータが、ワイヤレス通信システム内のネットワーク選択、セル選択または再選択、あるいはサービス選択のうちの少なくとも１つに関係し、修正された構成パラメータが、前記ユーザ機器に緊急コールサービスを提供するように構成されたネットワークについての前記ユーザ機器による優先を生じる、受信すること、または提供するための手段と
を備える、装置。
【請求項５６】
修正された構成パラメータの値が残存する間、緊急コールサービスを受信すること、またはユーザ機器に緊急コールサービスを前記提供することが実行され、前記ユーザ機器が電源切断されること、またはタイマーが満了することのうちの少なくとも１つが起こるまで、修正された構成パラメータの前記値が残存する、請求項５５に記載の装置。
【請求項５７】
緊急コールの終了または失敗後に、前記ユーザ機器に対して前記緊急コールのコールバックを開始するための手段をさらに備え、修正された構成パラメータの前記値が残存する間、コールバックを開始することが実行される、請求項５６に記載の装置。
【請求項５８】
装置であって、
ユーザ機器から緊急コールの開始についての要求を示す情報を受信することと、
緊急コールサービスを受信すること、または前記ユーザ機器に緊急コールサービスを提供することであって、受信すること、または提供することが、少なくとも、前記ユーザ機器がユーザ機器の構成パラメータを修正することに基づいて前記装置によって実行され、前記構成パラメータが、ワイヤレス通信システム内のネットワーク選択、セル選択または再選択、あるいはサービス選択のうちの少なくとも１つに関係し、修正された構成パラメータが、前記ユーザ機器に緊急コールサービスを提供するように構成されたネットワークについての前記ユーザ機器による優先を生じる、受信すること、または提供することと
を行うように構成された構成モジュール
を備える、装置。
【請求項５９】
修正された構成パラメータの値が残存する間、ユーザ機器に緊急コールサービスを前記提供することが実行され、前記ユーザ機器が電源切断されること、またはタイマーが満了することのうちの少なくとも１つが起こるまで、修正された構成パラメータの前記値が残存する、請求項５８に記載の装置。
【請求項６０】
前記構成モジュールは、緊急コールの終了または失敗後に、前記ユーザ機器に対して前記緊急コールのコールバックを開始するようにさらに構成され、修正された構成パラメータの前記値が残存する間、コールバックを開始することが実行される、請求項５９に記載の装置。
【発明の詳細な説明】
【技術分野】
【０００１】
関連出願の相互参照
本出願は、その両方が「Method and Apparatus to Enable Autonomous Change of User Equipment Circuit-Switched (CS) / Packet-Switched (PS) Mode and Access Stratum Reselection Priorities at Emergency Call Initiation」と題され、その内容全体が参照により本明細書に組み込まれる、２００９年５月１日に出願された米国仮特許出願第６１／１７４，８９７号と２０１０年２月３日に出願された米国仮特許出願第６１／３０１，１３９号の利益を主張する。
【０００２】
以下の説明は、一般に、ワイヤレス通信に関し、詳細には、ワイヤレス通信システムにおける緊急コールサービスを可能にすることに関する。
【背景技術】
【０００３】
ワイヤレス通信システムは、様々なタイプの通信を提供するために広く展開されている。たとえば、そのようなワイヤレス通信システムを介して音声および／またはデータが提供され得る。典型的なワイヤレス通信システムまたはネットワークは、１つまたは複数の共有リソース（たとえば、帯域幅、送信電力）へのアクセスを複数のユーザに提供することができる。たとえば、システムは、周波数分割多重（Ｆｒｅｑｕｅｎｃｙ  Ｄｉｖｉｓｉｏｎ  Ｍｕｌｔｉｐｌｅｘｉｎｇ：ＦＤＭ）、時分割多重（Ｔｉｍｅ  Ｄｉｖｉｓｉｏｎ  Ｍｕｌｔｉｐｌｅｘｉｎｇ：ＴＤＭ）、符号分割多重（Ｃｏｄｅ  Ｄｉｖｉｓｉｏｎ  Ｍｕｌｔｉｐｌｅｘｉｎｇ：ＣＤＭ）、直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：ＯＦＤＭ）などの様々な多元接続技法を使用することができる。
【０００４】
一般に、ワイヤレス多元接続通信システムは、複数のユーザ機器（ｕｓｅｒ  ｅｑｕｉｐｍｅｎｔ：ＵＥ）のための通信を同時にサポートすることができる。各ＵＥは、順方向リンクおよび逆方向リンク上での送信を介して１つまたは複数の基地局（ｂａｓｅ  ｓｔａｔｉｏｎ：ＢＳ）と通信することができる。順方向リンク（またはダウンリンク（ｄｏｗｎｌｉｎｋ：ＤＬ））はＢＳからＵＥへの通信リンクを指し、逆方向リンク（またはアップリンク（ｕｐｌｉｎｋ：ＵＬ））はＵＥからＢＳへの通信リンクを指す。
【０００５】
緊急コールを発信するためにロングタームエボリューション（Ｌｏｎｇ  Ｔｅｒｍ  Ｅｖｏｌｕｔｉｏｎ：ＬＴＥ）システムから別の無線アクセス技術（ｒａｄｉｏ  ａｃｃｅｓｓ  ｔｅｃｈｎｏｌｏｇｙ：ＡＴ）に移動するＵＥは、緊急コールが終了した後、あるいは、ＵＥの回線交換（ｃｉＲｃｕｉｔ−ｓｗｉｔｈｅｄ：ＣＳ）モードもしくパケット交換（ｐａｃｋｅｔ−ｓｗｉｔｈｅｄ：ＰＳ）モードにより、またはＵＥのセル再選択優先度設定値の設定により、緊急コールが失敗した場合、ＬＴＥシステムに自律的に戻り得る。したがって、コールバックサービスがＵＥに提供され得ないことがあり、ＵＥが緊急コールを再発信する必要がある場合、パフォーマンスが悪化し得る。
【０００６】
したがって、ＵＥのための緊急コールサービスを可能にするためのシステム、装置および方法が望ましい。
【発明の概要】
【０００７】
以下で、１つまたは複数の実施形態の基本的な理解を与えるために、そのような実施形態の簡略化された概要を提示する。この概要は、すべての企図される実施形態の包括的な概観ではなく、すべての実施形態の主要または重要な要素を識別するものでも、いずれかまたはすべての実施形態の範囲を定めるものでもない。その唯一の目的は、後で提示するより詳細な説明の導入として、１つまたは複数の実施形態のいくつかの概念を簡略化された形式で提示することである。
【０００８】
１つまたは複数の実施形態およびその対応する開示に従って、ＵＥ緊急コール開始におけるＣＳ／ＰＳモードおよび／またはアクセス層再選択優先度の自律変更を可能にすることに関して、様々な態様について説明する。
【０００９】
関係する態様によれば、方法が提供される。本方法は、ユーザ機器の構成パラメータを修正することを含むことができ、構成パラメータが、ワイヤレス通信システム内のネットワーク選択、セル選択または再選択、あるいはサービス選択のうちの少なくとも１つに関係し、修正された構成パラメータが、ユーザ機器において緊急コールをサポートするように構成されたネットワーク、セルまたはサービスについてのユーザ機器による優先を生じる。
【００１０】
他の関係する態様によれば、コンピュータ可読媒体を含むコンピュータプログラム製品が提供される。本コンピュータプログラム製品は、コンピュータにユーザ機器の構成パラメータを修正させるためのコードの第１のセットを含むことができ、構成パラメータが、ワイヤレス通信システム内のネットワーク選択、セル選択または再選択、あるいはサービス選択のうちの少なくとも１つに関係し、修正された構成パラメータが、コンピュータにおいて緊急コールをサポートするように構成されたネットワーク、セルまたはサービスに
ついてのコンピュータによる優先を生じる。
【００１１】
他の関係する態様によれば、装置が提供される。本装置は、装置の構成パラメータを修正するための手段を含むことができ、構成パラメータが、ワイヤレス通信システム内のネットワーク選択、セル選択または再選択、あるいはサービス選択のうちの少なくとも１つに関係し、修正された構成パラメータが、本装置において緊急コールをサポートするように構成されたネットワーク、セルまたはサービスについての本装置による優先を生じる。
【００１２】
さらに他の関係する態様によれば、別の装置が提供される。本装置は、装置の構成パラメータを修正するように構成された構成モジュールを含むことができ、構成パラメータが、ワイヤレス通信システム内のネットワーク選択、セル選択または再選択、あるいはサービス選択のうちの少なくとも１つに関係し、修正された構成パラメータが、本装置において緊急コールをサポートするように構成されたネットワーク、セルまたはサービスについての本装置による優先を生じる。
【００１３】
他の態様によれば、方法は、ユーザ機器から緊急コールの開始についての要求を示す情報を受信することと、緊急コールサービスを受信すること、またはユーザ機器に緊急コールサービスを提供することとを含むことができ、受信すること、または提供することが、少なくとも、ユーザ機器がユーザ機器の構成パラメータを修正することに基づいてネットワークによって実行され、構成パラメータが、ワイヤレス通信システム内のネットワーク選択、セル選択または再選択、あるいはサービス選択のうちの少なくとも１つに関係し、修正された構成パラメータが、ネットワークについてのユーザ機器による優先を生じる。
【００１４】
他の関係する態様によれば、コンピュータ可読媒体を含む別のコンピュータプログラム製品が提供される。コンピュータプログラム製品は、コンピュータに、ユーザ機器から緊急コールの開始についての要求を示す情報を受信させるためのコードの第１のセットと、コンピュータに、緊急コールサービスを受信すること、またはユーザ機器に緊急コールサービスを提供することを行わせるためのコードの第２のセットとを含むことができ、受信すること、または提供することは、少なくとも、ユーザ機器がユーザ機器の構成パラメータを修正することに基づいてコンピュータによって実行され、構成パラメータが、ワイヤレス通信システム内のネットワーク選択、セル選択または再選択、あるいはサービス選択のうちの少なくとも１つに関係し、修正された構成パラメータが、ネットワークについてのユーザ機器による優先を生じる。
【００１５】
他の態様によれば、別の装置が提供される。本装置は、ユーザ機器から緊急コールの開始についての要求を示す情報を受信するための手段と、緊急コールサービスを受信すること、またはユーザ機器に緊急コールサービスを提供するための手段とを含むことができ、受信すること、または提供することは、少なくとも、ユーザ機器がユーザ機器の構成パラメータを修正することに基づいて本装置によって実行され、構成パラメータが、ワイヤレス通信システム内のネットワーク選択、セル選択または再選択、あるいはサービス選択のうちの少なくとも１つに関係し、修正された構成パラメータが、ネットワークについてのユーザ機器による優先を生じる。
【００１６】
さらに他の態様によれば、別の装置が提供される。本装置は、ユーザ機器から緊急コールの開始についての要求を示す情報を受信することと、緊急コールサービスを受信すること、またはユーザ機器に緊急コールサービスを提供することとを行うように構成された構成モジュールを含むことができ、与えることは、少なくとも、ユーザ機器がユーザ機器の構成パラメータを修正することに基づいて本装置によって実行され、構成パラメータが、ワイヤレス通信システム内のネットワーク選択、セル選択または再選択、あるいはサービス選択のうちの少なくとも１つに関係し、修正された構成パラメータが、ネットワークについてのユーザ機器による優先を生じる。
【００１７】
上記および関係する目的の達成に向けて、１つまたは複数の実施形態は、以下で十分に説明し、特に特許請求の範囲で指摘する特徴を備える。以下の説明および添付の図面は、１つまたは複数の実施形態のいくつかの例示的な態様を詳細に記述する。ただし、これらの態様は、様々な実施形態の原理を採用することができる様々な方法のほんのいくつかを示すものであり、説明する実施形態は、すべてのそのような態様およびそれらの均等物を含むものとする。
【図面の簡単な説明】
【００１８】
【図１】図１は、本明細書に記載する様々な態様による、緊急コールサービスを可能にするための例示的なワイヤレス通信システムの図である。
【図２】図２は、本明細書に記載する様々な態様による、緊急コールサービスを可能にするための別の例示的なワイヤレス通信システムの図である。
【図３】図３は、本明細書に記載する様々な態様による、緊急コールサービスを可能にするために１つまたは複数のフェムトノードが展開される例示的なワイヤレス通信システムの図である。
【図４】図４は、本明細書に記載する様々な態様による、緊急コールサービスを可能にするためのワイヤレス通信システムにおける例示的なカバー範囲マップの図である。
【図５】図５は、本明細書に記載する様々な態様による、緊急コールサービスを可能にするためのワイヤレス通信システムの例示的なブロック図である。
【図６Ａ】図６Ａは、本明細書に記載する様々な態様による、緊急コールサービスを可能にするためのワイヤレス通信システムにおけるフロー図の例の図である。
【図６Ｂ】図６Ｂは、本明細書に記載する様々な態様による、緊急コールサービスを可能にするためのワイヤレス通信システムにおけるフロー図の例の図である。
【図７】図７は、本明細書に記載する様々な態様による、緊急コールサービスを可能にするためのワイヤレス通信システムにおける例示的なフロー図である。
【図８Ａ】図８Ａは、本明細書に記載する様々な態様による、緊急コールサービスを可能にするための方法のフローチャートの例の図である。
【図８Ｂ】図８Ｂは、本明細書に記載する様々な態様による、緊急コールサービスを可能にするための方法のフローチャートの例の図である。
【図８Ｃ】図８Ｃは、本明細書に記載する様々な態様による、緊急コールサービスを可能にするための方法のフローチャートの例の図である。
【図８Ｄ】図８Ｄは、本明細書に記載する様々な態様による、緊急コールサービスを可能にするための方法のフローチャートの例の図である。
【図８Ｅ】図８Ｅは、本明細書に記載する様々な態様による、緊急コールサービスを可能にするための方法のフローチャートの例の図である。
【図９】図９は、本明細書に記載する様々な態様による、緊急コールサービスを可能にするための例示的なシステムのブロック図である。
【図１０】図１０は、本明細書に記載する様々な態様による、緊急コールサービスを可能にするための例示的なシステムのブロック図である。
【図１１】図１１は、本明細書に記載する様々な態様による、本明細書で説明する実施形態が採用され得る例示的なワイヤレス通信システムを示す図である。
【発明を実施するための形態】
【００１９】
次に、図面を参照しながら様々な実施形態について説明する。図面全体にわたって、同様の要素を指すのに同様の参照符号を使用する。以下の記述では、説明の目的で、１つまたは複数の実施形態の完全な理解を与えるために多数の具体的な詳細を記載する。ただし、そのような実施形態は、これらの具体的な詳細なしに実施され得ることは明らかであろう。他の例では、１つまたは複数の実施形態の説明を円滑にするために、よく知られている構造およびデバイスをブロック図の形態で示す。
【００２０】
本出願で使用する「構成要素」、「モジュール」、「システム」などの用語は、コンピュータ関連のエンティティ、すなわち、ハードウェア、ファームウェア、ハードウェアとソフトウェアの組合せ、ソフトウェア、および／または実行中のソフトウェアのいずれかを指すものとする。たとえば、構成要素は、プロセッサ上で実行されるプロセス、プロセッサ、オブジェクト、実行可能ファイル、実行スレッド、プログラム、および／またはコンピュータとすることができるが、これらに限定されない。例として、コンピューティングデバイス上で実行されるアプリケーションおよび／またはそのコンピューティングデバイスの両方が構成要素であり得る。１つまたは複数の構成要素がプロセスおよび／または実行スレッド内に常駐することができ、１つの構成要素を１つのコンピュータ上に配置し、および／または２つ以上のコンピュータ間に分散することができる。さらに、これらの構成要素は、様々なデータ構造を記憶している様々なコンピュータ可読媒体から実行することができる。これらの構成要素は、１つまたは複数のデータパケット（たとえば、ローカルシステム、分散システム内、および／または他のシステムを用いるインターネットなどのネットワーク全体の中の別の構成要素と信号を介して相互作用する１つの構成要素からのデータ）を有する信号によるなど、ローカルおよび／またはリモートプロセスを介して通信することができる。
【００２１】
本明細書で説明する技法は、符号分割多元接続（ｃｏｄｅ  ｄｉｖｉｓｉｏｎ  ｍｕｌｔｉｐｌｅ  ａｃｃｅｓｓ：ＣＤＭＡ）、時分割多元接続（ｔｉｍｅ  ｄｉｖｉｓｉｏｎ  ｍｕｌｔｉｐｌｅ  ａｃｃｅｓｓ：ＴＤＭＡ）、周波数分割多元接続（ｆｒｅｑｕｅｎｃｙ  ｄｉｖｉｓｉｏｎ  ｍｕｌｔｉｐｌｅ  ａｃｃｅｓｓ：ＦＤＭＡ）、直交周波数分割多元接続（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ：ＯＦＤＭＡ）、シングルキャリア周波数分割多元接続（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ：ＳＣ−ＦＤＭＡ）および／または他のシステムなど様々なワイヤレス通信システムに対して使用され得る。「システム」および「ネットワーク」という用語は、しばしば互換的に使用される。ＣＤＭＡシステムは、ウルトラ・テレストアル・ラジオ・アクセス（Ｕｎｉｖｅｒｓａｌ  Ｔｅｒｒｅｓｔｒｉａｌ  Ｒａｄｉｏ  Ａｃｃｅｓｓ：ＵＴＲＡ）、ＣＤＭＡ８０２０などの無線技術を実装することができる。ＵＴＲＡは、広帯域ＣＤＭＡ（Ｗｉｄｅｂａｎｄ−ＣＤＭＡ：Ｗ−ＣＤＭＡ）とＣＤＭＡの他の変形態とを含む。ＣＤＭＡ８０２０は、ＩＳ−８０２０規格と、ＩＳ−９５規格と、ＩＳ−８５６規格とをカバーする。ＯＦＤＭＡシステムは、進化型のＵＴＲＡ（Ｅｖｏｌｖｅｄ  ＵＴＲＡ：Ｅ−ＵＴＲＡ）、ウルトラモバイルブロードバンド（Ｕｌｔｒａ  Ｍｏｂｉｌｅ  Ｂｒｏａｄｂａｎｄ：ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭなどの無線技術を実装することができる。ＵＴＲＡおよびＥ−ＵＴＲＡは、ユニバーサル・モバイル・テレコミュニケーションシステム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ：ＵＭＴＳ）の一部である。３ＧＰＰロングタームエボリューション（ＬＴＥ）は、ダウンリンク上ではＯＦＤＭＡを採用し、アップリンク上ではＳＣ−ＦＤＭＡを採用するＥ−ＵＴＲＡを使用するＵＭＴＳの今度のリリースである。ＵＴＲＡ、Ｅ−ＵＴＲＡ、ＵＭＴＳ、ＬＴＥおよびモバイル通信のためのグローバルシステム（Ｇｌｏｂａｌ  Ｓｙｓｔｅｍ  ｆｏｒ  Ｍｏｂｉｌｅｃｏｍｍｕｎｉｃａｔｉｏｎ：ＧＳＭ（登録商標））は、「第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ）」（３ＧＰＰ）と称する組織からの文書に記載されている。さらに、ＣＤＭＡ８０２０およびＵＭＢは、「第３世代パートナーシッププロジェクト２（３ｒｄ  Ｇｅｎｅｒａｔｉｏｎ  Ｐａｒｔｎｅｒｓｈｉｐ  Ｐｒｏｊｅｃｔ  ２）」（３ＧＰＰ２）と称する組織からの文書に記載されている。さらに、そのようなワイヤレス通信システムは、不対無資格スペクトルと、８０２．ｘｘワイヤレスＬＡＮと、ＢＬＵＥＴＯＯＴＨ（登録商標）と任意の他の短距離または長距離ワイヤレス通信技法とをしばしば使用するピアツーピア（たとえば、モバイルツーモバイル）アドホックネットワークシステムをさらに含むことができる。
【００２２】
シングルキャリア周波数分割多元接続（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ：ＳＣ−ＦＤＭＡ）は、シングルキャリア変調および周波数領域等化を利用する。ＳＣ−ＦＤＭＡは、ＯＦＤＭＡシステムと同様のパフォーマンスおよび本質的に同じ全体的な複雑さを有することができる。ＳＣ−ＦＤＭＡ信号は、その特有のシングルキャリア構造のためにより低いピーク対平均電力の比（ｐｅａｋ−ｔｏ−ａｖｅｒａｇｅ  ｐｏｗｅｒ  ｒａｔｉｏ：ＰＡＰＲ）を有することができる。ＳＣ−ＦＤＭＡは、たとえば、より低いＰＡＰＲが送信電力効率の点でＵＥに大きな利益を与えるアップリンク通信において使用され得る。したがって、ＳＣ−ＦＤＭＡは、３ＧＰＰ  ＬＴＥまたは進化型ＵＴＲＡでアップリンク多元接続方式として実装され得る。
【００２３】
さらに、本明細書では、様々な実施形態について、ＵＥに関して説明する。ＵＥは、システム、加入者ユニット、加入者局、移動局、モバイル、遠隔局、リモート端末、モバイルデバイス、アクセス端末、ワイヤレス通信デバイス、ユーザエージェントまたはユーザデバイスと呼ばれることもある。ＵＥは、セルラー電話、コードレス電話、セッション開始プロトコル（Ｓｅｓｓｉｏｎ  Ｉｎｉｔｉａｔｉｏｎ  Ｐｒｏｔｏｃｏｌ：ＳＩＰ）電話、ワイヤレスローカルループ（ｗｉｒｅｌｅｓｓ  ｌｏｃａｌ  ｌｏｏｐ：ＷＬＬ）局、携帯情報端末（ｐｅｒｓｏｎａｌ  ｄｉｇｉｔａｌ  ａｓｓｉｓｔａｎｔ：ＰＤＡ）、ワイヤレス接続機能を有するハンドヘルドデバイス、コンピューティングデバイス、またはワイヤレスモデムに接続された他の処理デバイスとすることができる。その上、様々な実施形態について、ＢＳまたはアクセスノード（ａｃｃｅｓｓ  ｎｏｄｅ：ＡＮ）に関して本明細書で説明する。ＢＳは、ＵＥと通信するために利用され得、アクセスポイント、ＢＳ、フェムトノード、ピコノード、ノードＢ、進化型ノードＢ（ｅノードＢ、ｅＮＢ）または何らかの他の用語で呼ばれることもある。
【００２４】
さらに、「または」という用語は、排他的な「または」ではなく、包括的な「または」を意味するものとする。すなわち、別段の規定がない限り、または文脈から明白でない限り、「ＸはＡまたはＢを使用する」という句は、自然な包括的置換のいずれかを意味するものとする。すなわち、「ＸはＡまたはＢを使用する」という句は、ＸがＡを使用する場合、ＸがＢを使用する場合、またはＸがＡとＢの両方を使用する場合のいずれによっても満たされる。さらに、本出願および添付の特許請求の範囲で使用する冠詞「ａ」および「ａｎ」は、別段の規定がない限り、または単数形を示すことが文脈から明白でない限り、概して「１つまたは複数」を意味するものと解釈すべきである。
【００２５】
本明細書で説明する様々な態様または特徴は、標準のプログラミングおよび／またはエンジニアリング技法を使用した方法、装置、または製造品として実装され得る。本明細書で使用する「製造品」という用語は、任意のコンピュータ可読デバイス、キャリア、または媒体からアクセス可能なコンピュータプログラムを包含するものとする。たとえば、コンピュータ可読媒体は、磁気ストレージデバイス（たとえば、ハードディスク、フロッピー（登録商標）ディスク、磁気ストリップ）、光ディスク（たとえば、コンパクトディスク（ｃｏｍｐａｃｔ  ｄｉｓｋ：ＣＤ）、デジタル多用途ディスク（ｄｉｇｉｔａｌ  ｖｅｒｓａｔｉｌｅ  ｄｉｓｋ：ＤＶＤ））、スマートカード、およびフラッシュメモリデバイス（たとえば、ＥＰＲＯＭ、カード、スティック、キードライブ）を含むことができるが、これらに限定されない。さらに、本明細書で説明する様々な記憶媒体は、情報を記憶するための１つまたは複数のデバイスおよび／または他の機械可読媒体を表すことができる。「機械可読媒体」という用語は、ワイヤレスチャネルと、コードおよび／または（１つまたは複数の）命令および／またはデータを記憶、含有、および／または搬送することが可能な様々な他の媒体（および／または記憶媒体）とを含むことができるが、これらに限定されない。
【００２６】
いくつかの態様では、マクロスケールのカバー範囲（たとえば、一般にマクロセルネットワークと呼ばれる、３Ｇネットワークなどの広域セルラーネットワーク）と、より小さいスケールのカバー範囲（たとえば、住宅ベースまたは建築物ベースのネットワーク環境）とを含むネットワーク中で、本明細書の教示を採用し得る。ＵＥは、そのようなネットワーク中を移動する。ＵＥは、いくつかのロケーションでは、マクロのカバー範囲を与えるＢＳによってサービスされ得るが、他のロケーションでは、より小規模のカバー範囲を与えるＢＳによってサービスされ得る。いくつかの態様では、より小さいカバー範囲のノードを使用して、（たとえば、より強固なユーザ経験のために）増分キャパシティの増大と、屋内のカバー範囲と、様々なサービスとを与え得る。本明細書での説明では、比較的大きいエリアにわたるカバー範囲を与えるノードを、マクロノードと呼ぶことがある。比較的小さいエリア（たとえば、住宅）にわたるカバー範囲を与えるノードを、フェムトノードと呼ぶことがある。マクロエリアよりも小さく、フェムトエリアよりも大きいエリアにわたるカバー範囲を与える（たとえば、商業建築物内のカバー範囲を与える）ノードを、ピコノードと呼ぶことがある。
【００２７】
マクロノード、フェムトノード、またはピコノードに関連付けられたセルを、それぞれ、マクロセル、フェムトセル、またはピコセルと呼ぶことがある。いくつかの実装形態では、各セルをさらに１つまたは複数のセクタに関連付け得る（たとえば、分割し得る）。
【００２８】
様々な適用例では、マクロノード、フェムトノード、またはピコノードを指すために他の用語を使用することがある。たとえば、マクロノードを、ＢＳ、アクセスポイント、ｅノードＢ、マクロセルなどとして構成すること、または呼ぶことがある。また、フェムトノードを、ホームノードＢ、ホームｅノードＢ、アクセスポイントアクセスノード、ＢＳ、フェムトセルなどとして構成すること、または呼ぶことがある。
【００２９】
図１は、本明細書に記載する様々な態様による、緊急コールサービスを可能にするための例示的なワイヤレス通信システムの図である。ワイヤレス通信システム１００では、ＵＬ上での送信によって生じた干渉はＢＳ１０２によって管理され得るが、ＤＬ上での送信によって生じた干渉はＵＥ１１６、１２２によって管理され得る。
【００３０】
次に図１を参照すると、本明細書で提示する様々な実施形態によるワイヤレス通信システム１００が示されている。システム１００は、複数のアンテナグループを含むことができるＢＳ１０２を含む。たとえば、１つのアンテナグループはアンテナ１０４、１０６を含むことができ、別のグループはアンテナ１０８、１１０を備えることができ、さらなるグループはアンテナ１１２、１１４を含むことができる。アンテナグループごとに２つのアンテナが示されているが、グループごとにより多いまたはより少ないアンテナを利用することができる。ＢＳ１０２は、さらに、送信ノードチェーンと受信ノードチェーンとを含むことができ、送信ノードチェーンおよび受信ノードチェーンの各々は、当業者なら諒解するように、信号送信および受信に関連付けられた複数の構成要素（たとえば、プロセッサ、変調器、マルチプレクサ、復調器、デマルチプレクサ、アンテナ）を備えることができる。
【００３１】
ＢＳ１０２は、ＵＥ１１６、１２２などの１つまたは複数のＵＥと通信することができる。ただし、ＢＳ１０２がＵＥ１１６、１２２と同様の実質的にいかなる数のＵＥとも通信することができることを諒解されたい。ＵＥ１１６、１２２は、たとえば、セルラー電話、スマートフォン、ラップトップ、ハンドヘルド通信デバイス、ハンドヘルドコンピューティングデバイス、衛星ラジオ、全地球測位システム、ＰＤＡ、および／またはワイヤレス通信システム１００を介して通信するための他の何らかの適切なデバイスとすることができる。図示のように、ＵＥ１１６はアンテナ１１２、１１４と通信しており、アンテナ１１２、１１４は、ＤＬ１１８を介して情報をＵＥ１１６に送信し、ＵＬ１２０を介してＵＥ１１６から情報を受信する。その上、ＵＥ１２２はアンテナ１０４、１０６と通信しており、アンテナ１０４、１０６は、ＤＬ１２４を介して情報をＵＥ１２２に送信し、ＵＬ１２６を介してＵＥ１２２から情報を受信する。周波数分割複信（ｆｒｅｑｕｅｎｃｙ  ｄｉｖｉｓｉｏｎ  ｄｕｐｌｅｘ：ＦＤＤ）システムでは、たとえば、ＤＬ１１８は、ＵＬ１２０によって使用される周波数帯とは異なる周波数帯を利用することができ、ＤＬ１２４は、ＵＬ１２６によって採用される周波数帯とは異なる周波数帯を採用することができる。さらに、時分割複信（ｔｉｍｅ  ｄｉｖｉｓｉｏｎ  ｄｕｐｌｅｘ：ＴＤＤ）システムでは、ＤＬ１１８およびＵＬ１２０は共通の周波数帯を利用することができ、ＤＬ１２４およびＵＬ１２６は共通の周波数帯を利用することができる。
【００３２】
アンテナの各グループおよび／またはそれらが通信するように指定されたエリアを、ＢＳ１０２のセクタと呼ぶことができる。たとえば、ＢＳ１０２によってカバーされるエリアのセクタ中のＵＥと通信するようにアンテナグループを設計することができる。ＤＬ１１８、１２４を介した通信では、ＢＳ１０２の送信アンテナは、ＵＥ１１６、１２２のＤＬ１１８、１２４の信号対雑音比を改善するためにビームフォーミングを利用することができる。また、ＢＳ１０２が、ビームフォーミングを利用して関連するカバー範囲中にランダムに散乱したＵＥ１１６、１２２に送信する間、ＢＳがシングルアンテナを通してそのＢＳのすべてのＵＥに送信する場合と比較して、近隣セル中のＵＥ１１６、１２２は干渉を受けにくいとすることができる。さらに、ＢＳ１０２およびＵＥ１１６、１２２は、ＵＥ緊急コール開始において、ＣＳ／ＰＳモードおよび／またはアクセス層再選択優先度の自律変更を可能にするためのスケジューリングポリシーの構成を与えるために構成され得る。
【００３３】
図２は、本明細書に記載する様々な態様による、緊急コールサービスを可能にするための別の例示的なワイヤレス通信システムの図である。システム２００は、たとえば、マクロセル２０２Ａ〜２０２Ｇなど、複数のセル２０２の通信を行い、各セルは、対応するＢＳ２０４（たとえば、ＢＳ２０４Ａ〜２０４Ｇ）によってサービスされる。図２に示すように、ＵＥ２０６（たとえば、ＵＥ２０６Ａ〜２０６Ｌ）は、時間とともにシステム全体にわたって様々なロケーションに分散させられ得る。各ＵＥ２０６は、たとえば、ＵＥ２０６がアクティブであるかどうか、およびそれがソフトハンドオフ中であるかどうかに応じて、所与の瞬間においてＤＬまたはＵＬ上で１つまたは複数のＢＳ２０４と通信することができる。ワイヤレス通信システム２００は大きい地理的領域にわたってサービスを提供し得る。たとえば、マクロセル２０２Ａ〜２０２Ｇは、近傍中の数ブロックをカバーし得る。
【００３４】
図３は、本明細書に記載する様々な態様による、緊急コールサービスを可能にするために１つまたは複数のフェムトノードが展開される例示的なワイヤレス通信システムの図である。特に、システム３００は、比較的小規模ネットワーク環境中に（たとえば、１つまたは複数のユーザ住宅３３０中に）設置された複数のフェムトノード３１０（たとえば、フェムトノード３１０Ａおよび３１０Ｂ）を含む。各フェムトノード３１０は、ＤＳＬルータ、ケーブルモデム、ワイヤレスリンク、または他の接続手段（図示せず）を介して、ワイドエリアネットワーク３４０（たとえば、インターネット）とモバイルオペレータコアネットワーク３５０とに結合され得る。以下で説明するように、各フェムトノード３１０は、関連するＵＥ（たとえば、関連するＵＥ３２０Ａ）と、場合によっては、外来ＵＥ（たとえば、外来ＵＥ３２０Ｂ）とをサービスするように構成され得る。言い換えれば、フェムトノード３１０へのアクセスが制限され得、それによって、所与のＵＥ３２０は、指定された（１つまたは複数の）（たとえば、ホーム）フェムトノード３１０のセットによってはサービスされ得るが、指定されていないフェムトノード３１０（たとえば、ネイバーのフェムトノード３１０）によってはサービスされ得ない。
【００３５】
しかしながら、様々な実施形態では、関連するＵＥ３２０Ａは、外来ＵＥ３２０Ｂをサービスしているフェムトノード３１０からの干渉をＤＬ上で経験することがある。同様に、関連するＵＥ３２０Ａに関連付けられたフェムトノード３１０は、外来ＵＥ３２０Ｂからの干渉をＵＬ上で経験することがある。実施形態では、干渉管理は、本明細書で説明するシステム３００において可能にされ得る。
【００３６】
図４は、本明細書に記載する様々な態様による、緊急コールサービスを可能にするためのワイヤレス通信システムにおける例示的なカバー範囲マップの図である。カバー範囲マップ４００は、いくつかの追跡エリア４０２（またはルーティングエリアまたはロケーションエリア）を含むことができ、追跡エリア４０２の各々はいくつかのマクロのカバー範囲エリアを含むことができる。図示の実施形態では、追跡エリア４０２Ａ、４０２Ｂ、および４０２Ｃに関連付けられたカバー範囲のエリアは太線によって示され、マクロのカバー範囲エリア４０４は六角形によって表される。追跡エリア４０２Ａ、４０２Ｂ、および４０２Ｃはフェムトのカバー範囲エリア４０６を含むことができる。この例では、フェムトカバー範囲エリア４０６（たとえば、フェムトのカバー範囲エリア４０６Ｃ）の各々は、マクロカバー範囲エリア４０４（たとえば、マクロのカバー範囲エリア４０４Ｂ）内に示される。ただし、フェムトのカバー範囲エリア４０６は、完全にマクロのカバー範囲エリア４０４内にあるわけではないことを諒解されたい。実際問題として、多数のフェムトカバー範囲エリア４０６を所与の追跡エリア４０２またはマクロのカバー範囲エリア４０４とともに画定することができる。また、１つまたは複数のピコのカバー範囲エリア（図示せず）を所与の追跡エリア４０２またはマクロのカバー範囲エリア４０４内に画定することができる。
【００３７】
再び図３を参照すると、フェムトノード３１０の所有者は、たとえば、３Ｇモバイルサービスなど、モバイルオペレーションコアネットワーク３５０を介して提供されるモバイルサービスに加入することができる。さらに、ＵＥ３２０は、マクロ環境中と、より小規模の（たとえば、宅内）ネットワーク環境中の両方で動作することが可能であり得る。言い換えれば、ＵＥ３２０の現在ロケーションに応じて、ＵＥ３２０は、モバイルオペレータコアネットワーク３５０のアクセスノード３６０によって、または、フェムトノード３１０のセットのうちのいずれか１つ（たとえば、対応するユーザ住宅３３０内に常駐するフェムトノード３１０Ａおよび３１０Ｂ）によってサービスされ得る。たとえば、加入者が自宅の外にいるときには、標準のマクロアクセスノード（たとえば、ノード３６０）によってサービスされ、自宅の中にいるときには、フェムトノード（たとえば、ノード３１０Ａ）によってサービスされる。ここで、フェムトノード３１０は既存のＵＥ３２０と後方互換性があり得ることを諒解されたい。
【００３８】
フェムトノード３１０は、単一の周波数上に展開され、または代替として、複数の周波数上に展開され得る。特定の構成に応じて、単一の周波数、あるいは複数の周波数のうちの１つまたは複数は、マクロノード（たとえば、ノード３６０）によって使用される１つまたは複数の周波数と重複することがある。
【００３９】
いくつかの態様では、ＵＥ３２０は、そのような接続性が可能なときはいつでも、優先のフェムトノード（たとえば、ＵＥ３２０のホームフェムトノード）に接続するように構成され得る。たとえば、ＵＥ３２０がユーザ住宅３３０内にあるときはいつでも、ＵＥ３２０がホームフェムトノード３１０のみと通信することが望ましいことがある。
【００４０】
いくつかの態様では、ＵＥ３２０がモバイルオペレータコアネットワーク３５０内で動作しているが、（たとえば、優先のローミングリスト中で定義された）その最も優先のネットワーク上に常駐していない場合、ＵＥ３２０は、ベターシステムリセレクション（Ｂｅｔｔｅｒ  Ｓｙｓｔｅｍ  Ｒｅｓｅｅｃｔｉｏｎ：ＢＳＲ）を使用して、最も優先のネットワーク（たとえば、優先のフェムトノード３１０）を探索し続け得、ベターシステムリセレクションでは、より良好なシステムが現在利用可能であるかどうかを判断するために利用可能なシステムの周期的スキャニングを行うことができ、その後、そのような有線のシステムに関連付けようとする。捕捉エントリを用いて、ＵＥ３２０は、特定の帯域およびチャネルの探索を制限し得る。たとえば、最も優先のシステムの探索が周期的に繰り返され得る。優先のフェムトノード３１０が発見されると、ＵＥ３２０は、そのカバー範囲エリア内にキャンピングするためにフェムトノード３１０を選択する。
【００４１】
フェムトノードは、いくつかの態様では、制限され得る。たとえば、所与のフェムトノードは、いくつかのサービスをいくつかのＵＥのみに提供し得る。いわゆる制限（または限定）された関連付けを用いた展開では、所与のＵＥは、マクロセルモバイルネットワークと、フェムトノードの定義されたセット（たとえば、対応するユーザ住宅３３０内に常駐するフェムトノード３１０）とによってのみサービスされ得る。いくつかの実装形態では、ノードは、少なくとも１つのノードにシグナリング、データアクセス、登録、ページング、またはサービスのうちの少なくとも１つを提供しないように制限され得る。
【００４２】
いくつかの態様では、（限定加入者グループホームノードＢと呼ばれることもある）制限されたフェムトノードは、サービスを、制限されたプロビジョニングされたＵＥのセットに提供するノードである。このセットは、必要に応じて、一時的にまたは永続的に拡大され得る。いくつかの態様では、限定加入者グループ（Ｃｌｏｓｅｄ  Ｓｕｂｓｃｒｉｂｅｒ  Ｇｒｏｕｐ：ＣＳＧ）は、ＵＥの共通のアクセス制御リストを共有するＢＳ（たとえば、フェムトノード）のセットとして定義され得る。領域中のすべてのフェムトノード（またはすべての制限されたフェムトノード）が動作するチャネルをフェムトチャネルと呼ぶことがある。
【００４３】
したがって、所与のフェムトノードと所与のＵＥとの間には様々な関係が存在し得る。たとえば、ＵＥの観点から、開いたフェムトノードは、制限された関連付けをもたないフェムトノードを指すことがある。制限されたフェムトノードは、何らかの形で制限された（たとえば、関連付けおよび／または登録について制限された）フェムトノードを指すことがある。ホームフェムトノードは、ＵＥがアクセスし、その上で動作することを許可されるフェムトノードを指すことがある。ゲストフェムトノードは、ＵＥがアクセスし、またはその上で動作することを一時的に許可されるフェムトノードを指すことがある。外来フェムトノードは、おそらく非常事態（たとえば、９１１番）を除いて、ＵＥがアクセスし、またはその上で動作することを許可されないフェムトノードを指すことがある。
【００４４】
制限されたフェムトノードの観点から、ホームＵＥは、制限されたフェムトノードへのアクセスを許可されるＵＥを指すことがある。ゲストＵＥは、制限されたフェムトノードへの一時的アクセスをもつＵＥを指すことがある。外来ＵＥは、たとえば、おそらく９１１番などの非常事態を除いて、制限されたフェムトノードにアクセスする許可を有していないＵＥ（たとえば、制限されたフェムトノードに登録する証明書または許可を有していないＵＥ）を指すことがある。
【００４５】
フェムトノードに関して図４の説明を与えたが、ピコノードは、より大きいカバー範囲エリアに同じまたは同様の機能を提供し得ることを諒解されたい。たとえば、所与のＵＥに対して、ピコノードを制限すること、ホームピコノードを定義することなどが可能であり得る。
【００４６】
ワイヤレス多元接続通信システムは、複数のＵＥのための通信を同時にサポートすることができる。上述のように、各ＵＥは、ＤＬまたはＵＬ上での伝送を介して１つまたは複数のＢＳと通信することができる。これらの通信リンク（すなわち、ＤＬおよびＵＬ）は、単入力単出力システム、多入力多出力（ｍｕｌｔｉｐｌｅ−ｉｎ−ｍｕｌｔｉｐｌｅ−ｏｕｔ：ＭＩＭＯ）システム、または何らかの他のタイプのシステムを介して確立され得る。
【００４７】
ＭＩＭＯシステムは、データ伝送用の複数（ＮT）個の送信アンテナと複数（ＮR）個の受信アンテナとを採用する。ＮT個の送信アンテナとＮR個の受信アンテナとによって形成されるＭＩＭＯチャネルは、空間チャネルと呼ばれることもあるＮS個の独立チャネルに分解され得、ＮS≦ｍｉｎ｛ＮT，ＮR｝である。ＮS個の独立チャネルの各々は１つの次元に対応する。複数の送信アンテナおよび受信アンテナによって生成された追加の次元数が利用された場合、ＭＩＭＯシステムは改善されたパフォーマンス（たとえば、より高いスループットおよび／またはより大きい信頼性）を与え得る。
【００４８】
ＭＩＭＯシステムは、ＴＤＤとＦＤＤとをサポートすることができる。ＴＤＤシステムでは、ＤＬ送信およびＵＬ送信が同一周波数領域上で行われ得るので、相反定理によりＵＬからのＤＬチャネルの推定が可能である。これにより、複数のアンテナがＢＳで利用可能であるとき、ＢＳはＤＬ上でビームフォーミング利得を送信することが可能になる。いくつかの実施形態では、本明細書で説明するように、干渉管理のために、ＵＬチャネルのチャネル状態がＤＬチャネルから推定され得る。
【００４９】
ＵＥの緊急コールサービスを可能にするためのシステム、方法および装置が提供され得る。実施形態は、緊急コールのプロビジョニングを可能にするために、ＵＥ  ＣＳ／ＰＳモード、アクセス層（ａｃｃｅｓｓ  ｓｔｒａｔｕｍ：ＡＳ）再選択優先度および／または音声領域サービスの優先に関係するか、あるいはそれらを含む構成の自律変更を採用することができる。様々な実施形態では、構成の自律変更はＵＥにおいて実行され得る。したがって、本明細書で開示する実施形態は、緊急サービスを提供しないシステム上にキャンピングされたＵＥが、緊急サービスを提供するネットワーク、セル、またはサービスタイプに移動するか、またはそれらを優先することを可能にすることができる。さらにまた、緊急サービスを提供するネットワークからのコールバックと、管轄緊急サービス要件への対応する準拠とが提供され得る。
【００５０】
本明細書の実施形態では、ＣＳ音声サービスよりもパケットデータサービスを優先させる第１のモードで動作しているＵＥは、そのＵＥが第２のモードで動作するようにその構成を変更することができる。第２のモードは、ＣＳ音声サービスよりもパケットデータサービスを優先させないモードとすることができる。様々な実施形態について以下で説明する。
【００５１】
いくつかの実施形態では、ＬＴＥ  ＢＳ上にキャンピングされたＵＥがＣＳ緊急コールを開始するときはいつでも、そのＵＥは、次のようにＵＥ動作モードを一時的に変更する。ＵＥがＣＳ／ＰＳモード２にある場合、ＵＥはＵＥ動作モードをＣＳ／ＰＳモード１に変更する。ＵＥがＰＳモード２にある場合、ＵＥは、ＵＥモードをＰＳモード１に変更するか、またはＣＳ／ＰＳモード１に変更する。この手法については、以下でより詳細に説明する。
【００５２】
図５は、本明細書に記載する様々な態様による、緊急コールサービスを可能にするためのワイヤレス通信システムの例示的なブロック図である。図６Ａおよび図６Ｂは、本明細書に記載する様々な態様による、緊急コールサービスを可能にするためのワイヤレス通信システムにおけるフロー図の例の図である。図７は、本明細書に記載する様々な態様による、緊急コールサービスを可能にするためのワイヤレス通信システムにおける例示的なフロー図である。
【００５３】
図５のワイヤレス通信システム５００について、図５と、図６Ａ、図６Ｂおよび図７のフロー図とを参照しながら説明する。ワイヤレス通信システム５００は、ＢＳと、少なくとも１つのＵＥ５０８とを含むことができる。第１のＢＳは、ＬＴＥシステムを管理するように構成されたＬＴＥ  ＢＳ５０３とすることができるか、または少なくともＬＴＥ  ＢＳ５０３を含むことができ、第２のＢＳは、ＣＳ対応（ＣＳＣ）ＲＡＴ（まとめて、ＣＳＣＲＡＴ）ＢＳ５０２とすることができるか、または少なくともＣＳＣＲＡＴ  ＢＳ５０２を含むことができる。限定ではなく、例として、ＣＳＣＲＡＴ  ＢＳ５０２は、ＧＳＭ  （登録商標）ＢＳ、ＵＭＴＳ  ＢＳまたはｃｄｍａ２０００  ＢＳとすることができる。いくつかの実施形態では、ＣＳＣＲＡＴ  ＢＳ５０２は、ＵＥに緊急コールサービスを提供するように構成された任意のタイプのＢＳとすることができる。
【００５４】
ＬＴＥ  ＢＳ５０３およびＣＳＣＲＡＴ  ＢＳ５０２は、それぞれトランシーバ５１０、５３０を含むことができる。トランシーバ５１０、５３０は、音声、データおよび／または制御情報、ならびに／あるいはシステム、方法、装置および／またはコンピュータプログラム製品のうちのいずれかに関して本明細書で説明する他のタイプの情報をＵＥ５０８との間で送信および受信するように構成され得る。
【００５５】
たとえば、図６Ａを参照すると、ＬＴＥ  ＢＳ５０３は、ＵＥ５０８との間のデータの伝送によってデータサービスを提供するように構成され得る。対照的に、ＣＳＣＲＡＴ  ＢＳ５０２は、ＵＥ５０８にＣＳ音声サービスを提供するように構成され得る。したがって、図６Ａおよび図６Ｂに示すように、ＵＥは、データサービスのサポートのためにＬＴＥ  ＢＳ５０３上にキャンピングすることができ、緊急コールがトリガされると、ＣＳ音声サービスを受信することができる。
【００５６】
他の例として、様々な実施形態では、トランシーバ５１０、５３０は、緊急コール中に伝えられる情報、ハンドオーバシグナリング、緊急コール開始、コールバックまたは再発信のための制御情報、パブリックランドモバイルネットワーク（ｐｕｂｌｉｓ  ｌａｎｄ  ｍｏｂｉｌｅ  ｎｅｔｗｏｒｋ：ＰＬＭＮ）選択、アクセス層（ＡＳ）再選択優先度および／またはＵＥのＣＳ／ＰＳモードを構成することに関連付けられたパラメータならびに／あるいは情報を、送信および受信するように構成され得る。
【００５７】
ＬＴＥ  ＢＳ５０３およびＣＳＣＲＡＴ  ＢＳ５０２は、概して、ＵＥ５０８のＣＳ／ＰＳモードと、ＵＥ５０８のＡＳ再選択優先度と、ＵＥ５０８の構成とのうちの１つまたは複数を判断するために、ＵＥ５０８の構成情報を評価するように構成された構成モジュール５１２、５１９をも含むことができる。構成モジュール５１２、５１９はまた、ＵＥ５０８との間で情報を送信または受信するか、あるいは、緊急コールバック、または本明細書で説明し、本明細書でＵＥ５０８によって発信された緊急コールもしくは緊急コールに対するコールバックを可能にすることに関係する他の機能を実行するように構成され得る。
【００５８】
再び図５を参照すると、ＬＴＥ  ＢＳ５０３およびＣＳＣＲＡＴ  ＢＳ５０２は、それぞれプロセッサ５１４、５２１と、それぞれメモリ５１６、５２３とをも含むことができる。プロセッサ５１４、５２１は、システム、方法、装置および／またはコンピュータプログラム製品のうちのいずれかに関して本明細書で説明する機能のうちの１つまたは複数を実行するように構成され得る。ＣＳＣＲＡＴ  ＢＳ５０２およびＬＴＥ  ＢＳ５０３は、それぞれメモリ５１６、５２３を含むことができる。限定ではなく例として、プロセッサ５１４、５２１は、ＬＴＥ  ＢＳ５０３とＣＳＣＲＡＴ  ＢＳ５０２との間のＵＥ５０８の移動を可能にし、ＵＥ５０８のＡＳ優先度に従って動作し、および／またはＵＥ５０８のＣＳ／ＰＳモードに従って動作するための動作を実行するように構成され得る。たとえば、図６Ａに関して示すように、ＬＴＥ  ＢＳ５０３およびＣＳＣＲＡＴ  ＢＳ５０２は、ＵＥ５０８がＬＴＥ  ＢＳ５０３からＣＳＣＲＡＴ  ＢＳ５０２にハンドオーバされるとき、ＵＥ５０８のハンドオーバをサポートするためにネットワーク対話のための機能を実行するように構成されたプロセッサ５１４、５２１を含むことができる。
【００５９】
メモリ５１６、５２３は、それぞれ、システム、方法、装置および／またはコンピュータプログラム製品のうちのいずれかに関して本明細書で説明する、ＬＴＥ  ＢＳ５０３およびＣＳＣＲＡＴ  ＢＳ５０２の機能を実行するためのコンピュータ実行可能命令および／または情報を記憶するためのものすることができる。
【００６０】
ワイヤレス通信システム５００は、トランシーバ５１８を含むことができるＵＥ５０８をも含むことができる。トランシーバ５１８は、ＵＥ５０８との間で音声またはデータまたは制御情報を送信および受信するように構成され得る。たとえば、図６Ａを参照すると、ＵＥ５０８がＬＴＥ  ＢＳ５０３上にキャンピングされたとき、トランシーバ５１８はデータトラフィックを送信および受信することができる。ただし、上記で説明し、図６Ａおよび図６Ｂに示したように、ＵＥ５０８は、ＣＳＣＲＡＴ  ＢＳ５０２に移動し、ＣＳ音声トラフィックを送信および受信することができる。たとえば、ＵＥ５０８が緊急コールを開始したとき、ＵＥ５０８はＣＳＣＲＡＴ  ＢＳに移動され得、ＣＳ音声を送信するが、緊急コールの開始より前に、ＵＥ５０８はデータおよび／またはＰＳ音声を送信することができる。
【００６１】
ＵＥ５０８は、ＵＥ５０８の構成情報を割り当て、変更し、および／または修正するように構成された構成モジュール５２０をも含むことができる。様々な実施形態では、構成情報の変更は、ＵＥ５０８による自律変更であり得る。様々な実施形態では、ＬＴＥ  ＢＳ５０３が緊急コールサービスを提供しないので、および／またはＵＥ５０８が、ＬＴＥ  ＢＳ５０３のネットワーク上で緊急コールサービスを受信するように構成されないので、ＵＥ５０８は構成をＬＴＥ  ＢＳ５０３からＣＳＣＲＡＴ  ＢＳ５０２に変更することができる。
【００６２】
構成モジュール５２０は、概して、限定はしないが、ＵＥ５０８のＣＳ／ＰＳモードと、ＵＥ５０８のＡＳ再選択優先度と、ＵＥ５０８の構成とを含む、ＵＥ５０８の任意の数の動作に関する構成を割り当て、変更し、および／または修正することができる。図６Ａ、図６Ｂおよび図７を参照すると、構成モジュール５２０は、概して、ＵＥ５０８がＬＴＥ  ＢＳ５０３上にキャンピングされ、ＣＳＣＲＡＴ  ＢＳ５０２に移動することになるかどうかと、ＵＥ５０８のＣＳ／ＰＳモードまたはＰＳモードが１であるのか２であるのかと、ＡＳ優先度と、ＵＥ５０８のネットワークレベルおよびサービスレベルビヘイビアならびに／または優先とを判断することができる。たとえば、サービスレベルビヘイビアに関して、図７に示すように、構成モジュール５２０は、ＵＥ５０８が音声中心の通信手法に従って動作するのか、またはデータ中心の通信手法に従って動作するのかを判断することができる。
【００６３】
ＵＥ５０８はまた、プロセッサ５２２とメモリ５２４とを含むことができる。プロセッサ５２２は、システム、方法、装置および／またはコンピュータプログラム製品のうちのいずれかに関して本明細書で説明する、ＵＥ５０８の機能のうちの１つまたは複数を実行するように構成され得る。限定ではなく例として、プロセッサ５２２は、ＬＴＥ  ＢＳ５０３とＣＳＣＲＡＴ  ＢＳ５０２との間のＵＥ５０８の移動を可能にし、ＵＥ５０８のＡＳ優先度に従って動作し、および／またはＵＥ５０８のＣＳ／ＰＳモードに従って動作するための動作を実行するように構成され得る。メモリ５２４は、システム、方法、装置および／またはコンピュータプログラム製品のうちのいずれかに関して本明細書で説明する機能を実行するためのコンピュータ実行可能命令および／または情報を記憶するためのものすることができる。
【００６４】
次に図６Ａを参照すると、いくつかの実施形態では、ワイヤレス通信システムを動作させる方法を示すフロー図６００は次のようになり得る。フロー図６００は、緊急コールのためにＵＥ５０８をＣＳＣＲＡＴ  ＢＳ５０２に転送する方法を示すことができる。
【００６５】
たとえば、ＵＥ５０８がＣＳ／ＰＳモード２で構成されている（したがって、ＣＳ音声サービスよりもパケットデータサービスを優先させる）間、複数のＲＡＴがＵＥ５０８にとって利用可能であるにもかかわらず、ＵＥ５０８はＬＴＥ  ＢＳ５０３のネットワーク上にキャンピングする傾向がある。ただし、ＬＴＥ  ＢＳ５０３のネットワークがＬＴＥリリース８ネットワークである実施形態では、ＬＴＥリリース８ネットワークが緊急コールのためのサポートを有しないので、ＬＴＥ  ＢＳ５０３のネットワーク上のＵＥ５０８はＣＳＣＲＡＴ  ＢＳ５０２に移動することができる。ＵＥ５０８は、緊急コールを行うために、ＬＴＥリリース８仕様において利用可能ないくつかの動作および／または機構のうちのいずれかを使用して移動することができる。上述のように、フロー図６００は、緊急コールのためにＵＥ５０８をＣＳＣＲＡＴ  ＢＳ５０２に転送する１つのそのような方法を示す。
【００６６】
いくつかの実施形態では、ＵＥ５０８のＡＳが、ＬＴＥ  ＢＳ５０３に（ＣＳＣＲＡＴ  ＢＳ５０２を含む）他のＲＡＴよりも高い優先度を与えるように構成された場合、ＵＥ５０８がＣＳＣＲＡＴ  ＢＳ５０２中でアイドルモードに戻り、緊急コールが終了したかまたは失敗したとき、ＵＥ５０８はＬＴＥ  ＢＳ５０３を再選択する可能性がある。ＵＥ５０８は、緊急コールを行うために、これらの構成された優先度をオーバーライドすることができる。ただし、コールが終了した後、構成された優先度は、フロー図６００の開始時のその状態に戻ることがあり、コールバックを実行することが妨害され得る。たとえば、ＵＥ５０８がＣＳ／ＰＳモード２にあり、ＣＳフォールバック（ＣＳＦＢ）もＩＭＳ音声も利用可能でない場合、またはＵＥ５０８がＰＳモード２にあり、ＩＭＳ音声が利用可能でない場合、ネットワークはコールバックを配信することが可能でないであろう。ＣＳＦＢは、ＵＥ５０８がＬＴＥ  ＢＳ５０３のネットワークによってサービスされるときに、移動交換局（ＭＳＣ）がＵＥ５０８にページング情報を送信することができる方法とすることができる。ＣＳＦＢは、ＬＴＥリリース８において定義されているものとすることができる。いくつかの実施形態では、ＣＳＦＢは以下を含むことができる。ＵＥ５０８が音声コールを受け付けた場合、ＵＥは、ＧＳＭ（登録商標）ネットワーク、ＵＭＴＳネットワークまたはｃｄｍａ２０００ネットワークにハンドオーバされる。
【００６７】
再び図６Ａを参照すると、別の例では、ＵＥ５０８がＣＳ／ＰＳモード１で動作している（ＣＳ音声を優先させている）が、インターネットプロトコル（Ｉｎｔｅｒｎｅｔ  Ｐｒｏｔｏｃｏｌ：ＩＰ）マルチメディアサブシステム（Ｍｕｌｔｉｍｅｄｉａ  Ｓｕｂｓｙｓｔｅｍ：ＩＭＳ）音声のためのサポートをも有している場合、ＬＴＥ  ＢＳ５０３のネットワークがＩＭＳ音声を提供するならば、ＵＥ５０８はまた、そのネットワーク上に優先的にキャンピングする傾向があり得る。ＵＥ５０８の側のこの機能は、非緊急音声使用について許容できるが、ＩＭＳ音声（たとえば、ＩＭＳをサポートしているＬＴＥリリース８ネットワーク）を介して緊急コールが提供され得ないＬＴＥ  ＢＳ５０３のネットワークの実施形態の場合、上記の例で説明した問題と同様のコールバック問題が生じることがある。
【００６８】
フロー図６００は、緊急コールのためにＵＥをＣＳＣＲＡＴ  ＢＳ５０２に転送する方法を示す。６０２において、フロー図６００は、ＵＥ５０８がデータサービスのサポートのためにＬＴＥ  ＢＳ５０３上にキャンピングすることを含む。６０４において、フロー図６００は、緊急コールがＵＥ５０８によってトリガされることを含む。６０８において、フロー図６００は、ＵＥがＣＳＣＲＡＴ  ＢＳ５０２に移動することを含む。６１０において、フロー図６００は、ＬＴＥ  ＢＳ５０３からＣＳＣＲＡＴ  ＢＳ５０２へのＵＥ５０８の転送を可能にし、促進するために、ＬＴＥ  ＢＳ５０３とＣＳＣＲＡＴ  ＢＳ５０２との間のネットワーク対話が実行されることを含む。６１２において、フロー図は、ＵＥ５０８が、ＣＳ緊急サービスが利用可能であるＣＳＣＲＡＴ  ＢＳ５０２上にキャンピングされることを含む。いくつかの実施形態では、６０６において、フロー図６００は、ＵＥがＣＳフォールバックプロシージャを実行することをも含む。ＣＳフォールバックプロシージャは、６０８においてＣＳＣＲＡＴ  ＢＳに移動することより前に実行される。
【００６９】
フロー図６００の終結において、ＵＥ５０８は、（ハンドオーバを介したＣＳフォールバックが使用された場合）すでに緊急コール中にあるか、あるいは（別のＣＳフォールバック機構が使用された場合、またはＬＴＥ  ＢＳ５０３もしくはＵＥ５０８のネットワークがＣＳフォールバックをサポートしていないので、ＵＥ５０８が自律的に再選択する必要があった場合）ＣＳＣＲＡＴ  ＢＳ５０２中で緊急コールを発信する準備ができているかのいずれかである。ただし、緊急コールが終了したとき（または何らかの理由で発信が失敗した場合）、ＵＥ５０８は、ＬＴＥ  ＢＳ５０３のネットワークについての構成された優先を保持し、ＬＴＥネットワークのカバー範囲に戻る傾向がある可能性がある。緊急コールが開始された緊急事態が解決された場合、ＬＴＥネットワークへのこの復帰は許容でき得る。ただし、様々な管轄は、緊急サービスに関連付けられたコールバック要件を有する。したがって、フロー図６００のいくつかの実施形態（たとえば、ＣＳフォールバックのサポートなしの実施形態）では、ＬＴＥ  ＢＳ５０３のネットワークは、ＵＥ５０８にコールバックを配信することが不可能であろう。さらに、緊急コールが失敗またはドロップした場合、ＵＥ５０８は、フロー図６００を通過することなしにコールを再発信することが可能である必要があるであろう。したがって、以下で説明するように、フロー図６５０の動作は、いくつかの実施形態では採用され得る。
【００７０】
次に図６Ｂを参照すると、いくつかの実施形態では、ワイヤレス通信システムを動作させる方法を示すフロー図６５０は次のようになり得る。フロー図６５０は、ＵＥ５０８のＣＳ／ＰＳモード、ＵＥ５０８のＡＳ優先度、および／またはＵＥ５０８の音声領域の優先の自律変更を可能にすることができる。変更のうちの１つまたは複数は、本明細書で説明する動作を実行するために、ＵＥ５０８によって自律的に実行され得る。
【００７１】
たとえば、ＵＥ５０８がＣＳ／ＰＳモード２にあり、緊急コールのためにＣＳＣＲＡＴ  ＢＳ５０２に移動するとき、ＵＥ５０８はＵＥ５０８のＣＳ／ＰＳモードをモード１に自律的に変更することができる。構成のそのような変更は、ＵＥ５０８をＣＳＣＲＡＴ  ＢＳ５０２上に残すことがあり、ＣＳＣＲＡＴ  ＢＳ５０２は、元の緊急コールが終了または失敗した後でもＵＥ５０８  ＣＳ音声サービスを提供することができる（それによって、ＣＳＣＲＡＴ  ＢＳ５０２が位置する特定の管轄に対する緊急コールバックへの対応の可能性が改善される）。様々な実施形態では、ＣＳ／ＰＳモード１に変更することは、ＣＳＣＲＡＴ  ＢＳ５０２のネットワークの優先度よりもＬＴＥ  ＢＳ５０３のネットワークの優先度を低くするか、および／またはＬＴＥ  ＢＳ５０３のネットワーク上で動作する能力を完全に無効化することができる。ＬＴＥ  ＢＳ５０３のネットワーク上で動作する能力は、限定はしないが、ＬＴＥ  ＢＳ５０３信号を受信するトランシーバ５１８の機能をオフにすることを含む、任意のいくつかの方法で無効化され得る。
【００７２】
別の例として、構成の上記の変更に加えて、またはその代替として、いくつかの実施形態では、ＵＥ５０８のＡＳの構成は、ＬＴＥ  ＢＳ５０３がＣＳＣＲＡＴ  ＢＳ５０２よりも低い優先度を与えられるように変更され得る。上記で説明したように、ＮＡＳレイヤがそのＣＳ／ＰＳモードを変更した場合でも、この変更は、場合によってはアイドルモードで発生し得る、図６Ａについて説明した復帰と同様のＬＴＥへの復帰が、ＵＥの無線レイヤ中で発信することを防ぐことができる。
【００７３】
さらに、別の例として、構成の上記の変更に加えて、またはその代替として、ＵＥ５０８のＣＳ／ＰＳモードにかかわらず、ＵＥ５０８は、ＵＥ５０８に関連付けられた音声領域の優先を変更することができる。たとえば、ＵＥは、（緊急コールが終了または失敗した後、ＵＥ５０８がＬＴＥ  ＢＳ５０３のネットワークを選択することを可能にすることができる）優先されたＣＳ音声から、（緊急コールが終了したかまたは失敗した後、ＵＥ５０８をＣＳＣＲＡＴ  ＢＳ５０２のネットワーク上に残すか、または残ることを強制し得る）ＣＳ音声のみに優先を変更することができる。
【００７４】
フロー図６５０に、ＵＥ５０８において可能な構成の上記で説明した変更を示す。６５２において、フロー図６５０は、ＵＥ５０８がＬＴＥ  ＢＳ５０３上にキャンピングすることを含む。いくつかの実施形態では、ＵＥ５０８は、ＵＥ５０８の非アクセス層（ｎｏｎ−ａｃｃｅｓｓ  ｓｔｒａｔｕｍ：ＮＡＳ）がＣＳ／ＰＳモード２にあるように構成されたその構成モジュール５２０を有することができる。いくつかの実施形態では、ＣＳ／ＰＳモード２は、ＰＳデータサービスがＣＳ音声サービスよりも優先させられるようなモードとすることができる。
【００７５】
いくつかの実施形態では、ＵＥ５０８はまた、ＬＴＥネットワーク（および相応して、ＬＴＥ  ＢＳ５０３）がＵＥ５０８の最高優先度を有するように構成されるように構成され得る。したがって、ＵＥ５０８は、デフォルトとしてＬＴＥ  ＢＳ５０３上にキャンピングするように構成され得る。
【００７６】
６５４において、フロー図６５０は、緊急コールがＵＥ５０８によってトリガされることを含む。６５６において、フロー図６５０は、ＵＥ５０８が、ＣＳ音声緊急コールを行うためにＣＳＣＲＡＴ  ＢＳに移動することを含む。６５８において、フロー図６５０は、ＵＥが、ＵＥ５０８のＣＳ／ＰＳモードが１であるようにその構成を変更することを含む。いくつかの実施形態では、ＣＳ／ＰＳモード１は、ＣＳ音声が、他のタイプの音声よりも優先させられ、データトラフィックよりも優先させられるモードとすることができる。
【００７７】
６６０において、フロー図６５０は、ＵＥ５０８が、ＣＳ緊急サービスが利用可能であるＣＳＣＲＡＴ  ＢＳ５０２上にキャンピングされることを含む。６６２において、フロー図６５０は、緊急コールが終了することを含む。６６４において、フロー図６５０は、緊急コールが６６２において終了した後、ＵＥ５０８がＣＳＣＲＡＴ  ＢＳ５０２上にキャンピングされたままであることと、ＣＳ／ＰＳモードが１のままであることと、ＣＳＣＲＡＴ  ＢＳ５０２のネットワークがＵＥ５０８の最高優先度であることとを含む。したがって、フロー図６５０がコールバックをさらに含む実施形態では、ＣＳＣＲＡＴ  ＢＳ５０２は、ＵＥ５０８が動作するように構成されたＣＳ音声を介してＵＥ５０８にコールバックすることができる。また、ＵＥ５０８は、ＣＳＣＲＡＴ  ＢＳ５０２のネットワークに最高優先度を与える（したがって、ＬＴＥ  ＢＳ５０３よりも優先度が高い）構成変更により、ＣＳＣＲＡＴ  ＢＳ５０２のネットワークに接続されたままである。
【００７８】
フロー図６５０が終了したとき、ＵＥ５０８は、ＣＳ／ＰＳモード１にあり、それによってＰＳデータサービスよりもＣＳ音声サービスを優先させることができる。また、ＡＳセル再選択優先度は、フロー図６５０の開始時の優先度に対して修正され得る。これらの変更は、いくつかの実施形態では、緊急コールに関連付けられた所望のビヘイビアを生じることがあるが、緊急コールおよび関連する動作（たとえば、ＣＳＣＲＡＴ  ＢＳ５０２からの緊急コールのコールバックおよびコール再発信）が完了された後、またはそのような緊急コールおよび関連する動作が完了される可能性が高い時間において、その変更は最終的に取り消されるべきである。したがって、説明する実施形態では、構成に対する変更は制限され得る。複数のイベントトリガは、ＵＥの構成を、フロー図６５０の開始時のＵＥ５０８の構成のうちの１つまたは複数に戻すことができる。イベントトリガは、限定はしないが、ＵＥ５０８の電源切断と、ＰＬＭＮ選択と、選択された時間量の経過（たとえば、構成がいつ戻るべきかを判断するためのタイマーベースの手法）とを含むことができる。イベントトリガの１つまたは複数は、ＵＥにおいて、またはネットワークオペレータが操作するためのポリシーによって設計されるように指定され得る。タイマーベースの手法の場合、タイマーは、いくつかの実施形態では、ＵＥ中で事前プログラムされ得るか、またはＵＥに無線でシグナリングされ得る、タイマー値を有することができる。タイマー値を無線でシグナリングすることによって、ネットワークオペレータは、ネットワーク中の動作状態に基づいて、適宜にタイマー値を設定することができる。たとえば、異なる緊急コールバック要件（およびＵＥに対していつ緊急コールバックを行うことが可能でなければならないかに関する異なる要件）を有する管轄中に異なるネットワークがあり得るので、異なるネットワークのオペレータは、そのネットワークの特定の管轄のコールバック要件に従ってタイマー値を設定することができる。
【００７９】
次に図７を参照すると、フロー図７００は、本明細書で説明する実施形態を可能にするようにワイヤレス通信システムを動作させる方法を示すことができる。本方法は、ＵＥ５０８の現在の動作モードによって規定されるか、またはＵＥ５０８が動作するためにその構成を変更する動作モードによって規定され得る。様々な実施形態では、動作の変更は、ＵＥがＣＳ緊急コールを開始した結果、ＣＳ音声対応ＵＥに対するＵＥ５０８使用設定の変更、ＣＳ音声対応ＵＥについて３ＧＰＰ  ＴＳ  ２４．１６７において定義されている音声領域の優先の変更、上位レイヤからの不成功ＩＭＳ登録の指示、および／または３ＧＰＰ  ＴＳ  ２４．１６７において定義されているＳＭＳの使用に関するＵＥ構成の変更とすることができる。
【００８０】
様々な実施形態では、７０２を参照すると、ＵＥ５０８は、ＰＳモード１からＣＳ／ＰＳモード１に（または、７０４を参照すると、ＰＳモード２からＣＳ／ＰＳモード２に）変更することができる。モードの変更は、音声領域の優先の変更の結果とすることができる。たとえば、モードの上述の変更は、ＵＥ５０８が、ＩＭＳ  ＰＳ音声のみからＣＳ音声のみに、ＩＭＳ  ＰＳ音声のみから優先のＣＳ音声、２次的ＩＭＳ  ＰＳ音声に、優先のＩＳＭ  ＰＳ音声、２次的ＣＳ音声からＣＳ音声のみに、または優先のＩＳＭ  ＰＳ音声、２次的ＣＳ音声から優先のＣＳ音声、２次的ＩＳＭ  ＰＳ音声に変更することから生じることがある。
【００８１】
いくつかの実施形態では、ＵＥ５０８がＣＳ音声能力を有するとき、ＰＳモード１からＣＳ／ＰＳモード１への変更は、上位レイヤからの不成功ＩＭＳ登録情報、または、ＳＭＳ構成がＩＰネットワーク上でＳＭＳを使用することを優先しないように設定されることのみに基づいて行われ得る。
【００８２】
いくつかの実施形態では、ＵＥ５０８がＣＳ音声能力を有するとき、ＣＳ／ＰＳモード１からＰＳモード１への変更は、ＳＭＳ構成がＩＰネットワーク上でＳＭＳを使用することを優先するように変更されることと、ＵＥ５０８がＩＭＳ登録されることとに基づいて行われ得る。
【００８３】
様々な実施形態では、７０２を参照すると、少なくとも、上位レイヤからの不成功ＩＭＳ登録情報と、音声領域の優先が優先のＩＭＳ  ＰＳ音声、２次的ＣＳ音声であることとに基づいて、または上位レイヤからの不成功ＩＭＳ登録情報と、ＳＭＳ構成がＩＰネットワーク上でＳＭＳを使用することを優先するように設定されることとに基づいて、ＵＥ５０８はＰＳモード１からＣＳ／ＰＳモード１に（または７０４を参照すると、ＰＳモード２からＣＳ／ＰＳモード２に）変更することができる。
【００８４】
様々な実施形態では、７０４を参照すると、少なくとも、上位レイヤからの不成功ＩＭＳ登録情報と、音声領域の優先が優先のＩＭＳ  ＰＳ音声、２次的ＣＳ音声であることとに基づいて、または上位レイヤからの不成功ＩＭＳ登録情報と、ＳＭＳ構成がＩＰネットワーク上でＳＭＳを使用することを優先するように設定されることとに基づいて、ＵＥは構成をＰＳモード２からＣＳ／ＰＳモード２に変更することができる。
【００８５】
いくつかの実施形態では、ＵＥ５０８がＣＳ音声能力を有しないとき、ＰＳモード２からＣＳ／ＰＳモード２への変更は、上位レイヤからの不成功ＩＭＳ登録情報、またはＳＭＳ構成がＩＰネットワーク上でＳＭＳを使用することを優先しないように設定されることに基づいて行われ得る。
【００８６】
様々な実施形態では、７０２を参照すると、ＵＥ５０８は、少なくとも、ＳＭＳ構成がＩＰネットワーク上でＳＭＳを使用しないように変更されることに基づいて、ＰＳモード１からＣＳ／ＰＳモード１に変更することができる。
【００８７】
様々な実施形態では、７０４を参照すると、ＵＥは、少なくとも、ＳＭＳ構成がＩＰネットワーク上でＳＭＳを使用しないように変更されることに基づいて、構成をＰＳモード２からＣＳ／ＰＳモード２  
様々な実施形態では、７０２を参照すると、ＵＥ５０８は、少なくとも、ＳＭＳ構成がＩＰネットワーク上でＳＭＳを使用することを優先するように変更されること、ＵＥがＩＭＳ登録されること、および／または音声領域の優先がＩＭＳ  ＰＳ音声のみであることに基づいて、ＣＳ／ＰＳモード１からＰＳモード１に変更することができる。
【００８８】
様々な実施形態では、７０４を参照すると、ＵＥは、ＳＭＳ構成がＩＰネットワーク上でＳＭＳを使用することを優先するように変更されること、ＵＥがＩＭＳ登録されること、および／または音声領域の優先がＩＭＳ  ＰＳ音声のみであることに基づいて、構成をＣＳ／ＰＳモード２からＰＳモード２に変更することができる。
【００８９】
いくつかの実施形態では、ＵＥ５０８がＣＳ音声能力を有しないとき、ＣＳ／ＰＳモード２からＰＳモード２への変更は、ＳＭＳ構成がＩＰネットワーク上でＳＭＳを使用することを優先するように設定されることと、ＵＥ５０８がＩＭＳ登録されることとに基づいて行われ得る。
【００９０】
いくつかの実施形態では、ＵＥ５０８はまた、少なくとも、ＵＥによって受信された「ＣＳ領域利用不可能メッセージ」に基づいてＣＳ／ＰＳモード１からＰＳモード１に（またはＣＳ／ＰＳモード２からＰＳモード２に）変更することができる。どちらの場合も、この場合ＰＳモード１またはＰＳモード２への遷移後に、ＵＥ５０８は、（等価なＰＬＭＮのリスト中にないＰＬＭＮの変更により）ＣＳ／ＰＳモード１構成またはＣＳ／ＰＳモード２構成に戻ることができる。
【００９１】
様々な実施形態では、ＵＥ５０８は、音声中心設定またはデータ中心設定との間でＵＥ５０８の使用設定を変更することによって、７０２の音声中心パラダイムと７０４のデータ中心パラダイムとの間で遷移することができる。たとえば、音声中心設定からデータ中心設定への（またはデータ中心設定から音声中心設定への）使用設定の変更に基づいて、ＵＥ５０８は、ＣＳ／ＰＳモード１からＣＳ／ＰＳモード２に（またはＣＳ／ＰＳモード２からＣＳ／ＰＳモード１に）モードを変更することができる。別の例として、音声中心設定からデータ中心設定への（またはデータ中心設定から音声中心設定への）使用設定の変更に基づいて、ＵＥ５０８は、ＰＳモード１からＰＳモード２に（またはＰＳモード２からＰＳモード１に）モードを変更することができる。
【００９２】
さらに、様々な実施形態では、ＵＥは、ＰＳモードで動作することができ、したがってＣＳ領域を優先しない。ただし、緊急コールサービスの場合、ＵＥ５０８は、緊急コールサービスを提供するように構成されたネットワークを優先するようにＵＥ５０８構成を変更することができる。
【００９３】
図８Ａ、図８Ｂ、図８Ｃおよび図８Ｄは、本明細書に記載する様々な態様による、緊急コールサービスを可能にするための方法のフローチャートの例の図である。
【００９４】
様々な実施形態では、ＵＥの元のサービングネットワークが緊急コールサービスを提供しない場合、および／またはＵＥがＵＥの元のサービングネットワーク上で緊急コールサービスを受信するように構成されない場合、ＵＥは構成を変更することができる。
【００９５】
最初に図８Ａを参照すると、ステップ８０２において、方法８００は、ＵＥの構成パラメータを修正することを含む。いくつかの実施形態では、構成パラメータは、ワイヤレス通信システム内のネットワーク選択、セル選択または再選択、あるいはサービス選択のうちの少なくとも１つに関係し、修正された構成パラメータは、緊急コールをサポートするように構成されたネットワーク、セルまたはサービスについてのＵＥによる優先を生じる。
【００９６】
いくつかの実施形態では、構成パラメータは、ＵＥの回線交換／パケット交換モードを示す情報を含み、８０４において、方法８００は、少なくとも構成パラメータを修正することに基づいて、パケット交換サービスよりも回線交換サービスを優先させることを含む。
【００９７】
次に図８Ｂを参照すると、方法８１０は、前に説明したステップ８０２を含むことができる。いくつかの実施形態では、回線交換音声サービスを含む複数の音声サービスがＵＥにとって利用可能である。構成パラメータは、ＵＥの音声領域の優先を示す情報を含むことができる。８１２において、方法８１０は、少なくとも構成パラメータを修正することに基づいて、優先的にまたは排他的に回線交換音声サービスを利用することを含む。
【００９８】
次に図８Ｃを参照すると、方法８２０は、前に説明したステップ８０２を含むことができる。いくつかの実施形態では、構成パラメータは、複数のセル再選択優先度を示す情報を含み、ワイヤレス通信システムは複数のネットワークを含み、複数のネットワークのうちの少なくとも１つはＵＥの元のサービングネットワークであり、複数のネットワークのうちの少なくとも別のネットワークは、緊急コールサービスを提供するように構成されたネットワークである。８２２において、方法８２０は、ＵＥの元のサービングネットワークよりも、緊急コールサービスを提供するように構成されたネットワークを優先させることを含む。いくつかの実施形態では、優先させることは、少なくとも構成パラメータを修正することに基づくことができる。いくつかの実施形態では、優先させることは、ＵＥが元のサービングネットワークから音声サービスを取得することができるかどうかについてのＵＥによる判断に基づくことができる。
【００９９】
次に図８Ｄを参照すると、方法８３０は、前に説明したステップ８０２を含むことができる。いくつかの実施形態では、構成パラメータは、複数のセル再選択優先度を示す情報を含み、ワイヤレス通信システムは複数のネットワークを含み、複数のネットワークのうちの少なくとも１つはＵＥの元のサービングネットワークであり、複数のネットワークのうちの少なくとも別のネットワークは、緊急コールサービスを提供するように構成されたネットワークである。８３２において、方法８３０は、少なくとも構成パラメータを修正することに基づいて、ＵＥの元のサービングネットワークとの通信を無効化することと、緊急コールサービスを提供するように構成されたネットワークを優先することとを含む。
【０１００】
方法８００、８１０、８２０および／または８３０では、ＵＥの構成パラメータを修正することは、ＵＥによって自律的に実行され得る。ＵＥが電源切断されること、またはタイマーが満了することのうちの少なくとも１つが起こるまで、修正された構成パラメータの値は残存することができる。いくつかの実施形態では、タイマーの値はＵＥにおいて構成される。いくつかの実施形態では、タイマーの値は、ワイヤレス通信システムのネットワークによって構成され、ワイヤレス通信システムのネットワークによってＵＥに送信される。いくつかの実施形態では、タイマーの値は、緊急コールのコールバックを実行するための時間よりも大きい。
【０１０１】
図８Ｅは、本明細書に記載する様々な態様による、緊急コールサービスを可能にするための方法のフローチャートの例の別の図である。８４２において、方法８４０は、ＵＥから、緊急コールの開始についての要求を示す情報を受信することを含む。８４４において、方法８４０は、緊急コールサービスを受信するかまたは緊急コールサービスをＵＥに提供することを含み、受信すること、または提供することが、少なくとも、ＵＥがその構成パラメータを修正することに基づいてネットワークによって実行され、構成パラメータが、ワイヤレス通信システム内のネットワーク選択、セル選択または再選択、あるいはサービス選択のうちの少なくとも１つに関係し、修正された構成パラメータが、ネットワークについてのＵＥによる優先を生じる。
【０１０２】
８４６において、方法８４０は、緊急コールの終了または失敗後に、ＵＥに対して緊急コールのコールバックを開始することを含み、修正された構成パラメータの値が残存する間、コールバックを開始することが実行される。
【０１０３】
様々な実施形態では、修正された構成パラメータは、少なくとも構成パラメータを修正することに基づいて、パケット交換サービスよりも回線交換サービスの優先、回線交換音声サービスの優先または専用、あるいはＵＥの元のサービングネットワークよりもネットワークの優先のうちの少なくとも１つを示す。
【０１０４】
いくつかの実施形態では、構成パラメータは、ＵＥによって自律的に修正されるパラメータである。いくつかの実施形態では、修正された構成パラメータの値が残存する間、緊急コールサービスをＵＥに提供することが実行され、ＵＥが電源切断されること、またはタイマーが満了することのうちの少なくとも１つが起こるまで、その値は残存する。
【０１０５】
図９は、本明細書に記載する様々な態様による、緊急コールサービスを可能にする例示的なシステムのブロック図である。
【０１０６】
システム９００は機能ブロックを含むものとして表されており、その機能ブロックは、プロセッサ、ハードウェア、ソフトウェア、ファームウェアまたはそれらの組合せによって実装される機能を表す機能ブロックとすることができることを諒解されたい。システム９００は、緊急コールプロビジョニングを可能にするための電気構成要素の論理または物理グルーピング９０２を含むことができる。電気構成要素は、連携して働くことができる。たとえば、論理または物理グルーピング９０２は、装置の構成パラメータを修正するための電気構成要素９０４を含むことができ、構成パラメータが、ワイヤレス通信システム内のネットワーク選択、セル選択または再選択、あるいはサービス選択のうちの少なくとも１つに関係し、修正された構成パラメータが、緊急コールをサポートするように構成されたネットワーク、セルまたはサービスについての装置による優先を生じる。
【０１０７】
論理または物理グルーピング９０２はまた、少なくとも構成パラメータを修正することに基づいて、パケット交換サービスよりも回線交換サービスを優先させるための電気構成要素９０６を含むことができる。論理または物理グルーピング９０２は、少なくとも構成パラメータを修正することに基づいて、回線交換音声サービスを優先的にまたは排他的に利用するための電気構成要素９０８を含むことができる。
【０１０８】
論理または物理グルーピング９０２はまた、装置の元のサービングネットワークよりも、緊急コールサービスを提供するように構成されたネットワークを優先させるための電気構成要素９１０を含むことができる。いくつかの実施形態では、優先させることは、少なくとも構成パラメータを修正することに基づくことができる。いくつかの実施形態では、優先させることは、少なくとも、装置が元のサービングネットワークから音声サービスを取得することができるかどうかについての装置による判断に基づくことができる。
【０１０９】
論理または物理グルーピング９０２はまた、装置の元のサービングネットワークとの通信を無効化するための電気構成要素９１２を含むことができる。論理または物理グルーピング９０２はまた、少なくとも構成パラメータを修正することに基づいて、緊急コールサービスを提供するように構成されたネットワークを優先するための電気構成要素９１４を含むことができる。
【０１１０】
いくつかの実施形態では、装置の構成パラメータを修正することは、装置によって自律的に実行される。いくつかの実施形態では、ＵＥが電源切断されること、またはタイマーが満了することのうちの少なくとも１つが起こるまで、修正された構成パラメータの値は残存する。いくつかの実施形態では、タイマーの値は装置において構成される。いくつかの実施形態では、タイマーの値は、ワイヤレス通信システムのネットワークによって構成され、ワイヤレス通信システムのネットワークによって装置に送信される。いくつかの実施形態では、タイマーの値は、緊急コールのコールバックを実行するための時間よりも大きい。
【０１１１】
論理または物理グルーピング９０２はまた、記憶するための電気構成要素９１６を含むことができる。記憶するための電気構成要素９１６は、構成情報、ネットワーク情報、セル優先度情報および／またはサービスタイプ情報を記憶するように構成され得る。
【０１１２】
図１０は、本明細書に記載する様々な態様による、緊急コールサービスを可能にする例示的なシステムのブロック図である。
【０１１３】
システム１０００は機能ブロックを含むものとして表されており、その機能ブロックは、プロセッサ、ハードウェア、ソフトウェア、ファームウェア、またはそれらの組合せによって実装される機能を表す機能ブロックとすることができることを諒解されたい。システム１０００は、緊急コールプロビジョニングを可能にするための電気構成要素の論理または物理グルーピング１００２を含むことができる。
【０１１４】
論理または物理グルーピング１００２は、ＵＥから緊急コールの開始についての要求を示す情報を受信するための電気構成要素１００４を含むことができる。論理または物理グルーピング１００２は、緊急コールサービスを受信するか、または緊急コールサービスをＵＥに提供するための電気構成要素１００６を含むことができ、受信すること、または提供することが、少なくとも、ＵＥがＵＥの構成パラメータを修正することに基づいて装置によって実行され、構成パラメータが、ワイヤレス通信システム内のネットワーク選択、セル選択または再選択、あるいはサービス選択のうちの少なくとも１つに関係し、修正された構成パラメータが、ネットワークについてのＵＥによる優先を生じる。
【０１１５】
論理または物理グルーピング１００２は、緊急コールの終了または失敗後に、ＵＥに対して緊急コールのコールバックを開始するための電気構成要素１００８を含むことができ、修正された構成パラメータの値が残存する間、コールバックを開始することが実行される。
【０１１６】
いくつかの実施形態では、修正された構成パラメータは、少なくとも構成パラメータを修正することに基づいて、パケット交換サービスよりも回線交換サービスの優先、回線交換音声サービスの優先または専用、あるいはＵＥの元のサービングネットワークよりもネットワークの優先のうちの少なくとも１つを示す。いくつかの実施形態では、構成パラメータは、ＵＥによって自律的に修正されるパラメータである。いくつかの実施形態では、修正された構成パラメータの値が残存する間、緊急コールサービスをＵＥに提供することが実行され、ＵＥが電源切断されること、またはタイマーが満了することのうちの少なくとも１つが起こるまで、その値は残存する。
【０１１７】
論理または物理グルーピング１００２は、記憶するための電気構成要素１０１０を含むことができる。記憶するための電気構成要素１０１０は、ＵＥ情報、１つまたは複数のＵＥのタイマー情報、構成情報、ネットワーク情報、セル優先度情報、および／またはサービスタイプ情報を記憶するように構成され得る。
【０１１８】
ワイヤレス多元接続通信システムは、複数のワイヤレスアクセス端末のための通信を同時にサポートすることができる。上述のように、各端末は、順方向リンクおよび逆方向リンク上での伝送を介して１つまたは複数のＢＳと通信することができ得る。順方向リンク（またはダウンリンク）とは、ＢＳから端末への通信リンクを指し、逆方向リンク（またはアップリンク）とは、端末からＢＳへの通信リンクを指す。この通信リンクは、単入力単出力システム、多入力多出力（ＭＩＭＯ）システム、または何らかの他のタイプのシステムを介して確立され得る。
【０１１９】
ＭＩＭＯシステムは、データ伝送用の複数（ＮT）個の送信アンテナと複数（ＮR）個の受信アンテナとを採用する。ＮT個の送信アンテナとＮR個の受信アンテナとによって形成されるＭＩＭＯチャネルは、空間チャネルと呼ばれることもあるＮS個の独立チャネルに分解され得、ＮS≦ｍｉｎ｛ＮT，ＮR｝である。ＮS個の独立チャネルの各々は１つの次元に対応する。複数の送信アンテナおよび受信アンテナによって生成された追加の次元数が利用された場合、ＭＩＭＯシステムは改善されたパフォーマンス（たとえば、より高いスループットおよび／またはより大きい信頼性）を与えることができる。
【０１２０】
ＭＩＭＯシステムは時分割複信（ＴＤＤ）と周波数分割複信（ＦＤＤ）とをサポートすることができる。ＴＤＤシステムでは、順方向リンク送信と逆方向リンク送信とが同一周波数領域上で行われるので、相反定理により逆方向リンクチャネルからの順方向リンクチャネルの推定が可能である。これにより、複数のアンテナがアクセスポイントで利用可能なとき、アクセスポイントは順方向リンク上で送信ビームフォーミング利得を抽出することが可能になる。
【０１２１】
図１１に、本明細書に記載する様々な態様による、本明細書で説明する実施形態が採用され得る例示的なワイヤレス通信システムを示す。本明細書の教示は、少なくとも１つの他のノードと通信するための様々な構成要素を採用するノード（たとえば、デバイス）に組み込まれ得る。図１１に、ノード間の通信を可能にするために採用され得るいくつかの例示的な構成要素を示す。特に、図１１に、ワイヤレス通信システム１１００（たとえば、ＭＩＭＯシステム）のワイヤレスデバイス１１１０（たとえば、アクセスポイント）とワイヤレスデバイス１１５０（たとえば、アクセス端末）とを示す。デバイス１１１０では、いくつかのデータストリームのトラフィックデータが、データソース１１１２から送信（ＴＸ）データプロセッサ１１１４に供給される。
【０１２２】
いくつかの態様では、各データストリームは、それぞれの送信アンテナを介して送信される。ＴＸデータプロセッサ１１１４は、符号化データを供給するために、そのデータストリーム用に選択された特定の符号化方式に基づいて、データストリームごとにトラフィックデータをフォーマットし、符号化し、インターリーブする。
【０１２３】
各データストリームの符号化データは、ＯＦＤＭ技法を使用してパイロットデータで多重化され得る。パイロットデータは、典型的には、知られている方法で処理され、チャネル応答を推定するために受信機システムにおいて使用され得る、既知のデータパターンである。次いで、各データストリームの多重化されたパイロットデータおよび符号化データは、変調シンボルを供給するために、そのデータストリーム用に選択された特定の変調方式（たとえば、ＢＰＳＫ、ＱＳＰＫ、Ｍ−ＰＳＫ、またはＭ−ＱＡＭ）に基づいて変調（すなわち、シンボルマッピング）される。各データストリームのデータレート、符号化、および変調は、プロセッサ１１３０によって実行される命令によって判断され得る。データメモリ１１３２は、プロセッサ１１３０またはデバイス１１１０の他の構成要素によって使用されるプログラムコード、データ、および他の情報を記憶し得る。
【０１２４】
次いで、すべてのデータストリームの変調シンボルがＴＸ  ＭＩＭＯプロセッサ１１２０に供給され、ＴＸ  ＭＩＭＯプロセッサ１１２０はさらに（たとえば、ＯＦＤＭ用に）その変調シンボルを処理し得る。次いで、ＴＸ  ＭＩＭＯプロセッサ１１２０は、ＮT個の変調シンボルストリームをＮT個のトランシーバ（ＸＣＶＲ）１１２２Ａ〜１１２２Ｔに供給する。いくつかの態様では、ＴＸ  ＭＩＭＯプロセッサ１１２０は、データストリームのシンボルと、シンボルの送信元のアンテナとにビームフォーミング重みを付加する。
【０１２５】
各トランシーバ１１２２は、それぞれのシンボルストリームを受信し、処理して、１つまたは複数のアナログ信号を供給し、さらに、それらのアナログ信号を調整（たとえば、増幅、フィルタリング、およびアップコンバート）して、ＭＩＭＯチャネルを介して送信するのに適した変調信号を供給する。次いで、トランシーバ１１２２Ａ〜１１２２ＴからのＮT個の変調信号は、それぞれ、ＮT個のアンテナ１１２４Ａ〜１１２４Ｔから送信される。
【０１２６】
デバイス１１５０では、送信された変調信号はＮR個のアンテナ１１５２Ａ〜１１５２Ｒによって受信され、各アンテナ１１５２からの受信信号は、それぞれのトランシーバ（ＸＣＶＲ）１１５４Ａ〜１１５４Ｒに供給される。各トランシーバ１１５４は、それぞれの受信信号を調整（たとえば、フィルタリング、増幅、およびダウンコンバート）し、調整された信号をデジタル化して、サンプルを供給し、さらにそれらのサンプルを処理して、対応する「受信」シンボルストリームを供給する。
【０１２７】
次いで、受信（ＲＸ）データプロセッサ１１６０は、特定の受信機処理技法に基づいてＮR個のトランシーバ１１５４からＮR個の受信シンボルストリームを受信し、処理して、ＮT個の「検出」シンボルストリームを供給する。次いで、ＲＸデータプロセッサ１１６０は、各検出シンボルストリームを復調し、デインターリーブし、復号して、データストリームに対するトラフィックデータを復元する。ＲＸデータプロセッサ１１６０による処理は、デバイス１１１０におけるＴＸ  ＭＩＭＯプロセッサ１１２０およびＴＸデータプロセッサ１１１４によって実行される処理を補足するものである。
【０１２８】
プロセッサ１１７０は、どのプリコーディング行列を使用すべきかを周期的に判断する（後述）。プロセッサ１１７０は、行列インデックス部とランク値部とを備える逆方向リンクメッセージを作成する。データメモリ１１７２は、プロセッサ１１７０またはデバイス１１５０の他の構成要素によって使用されるプログラムコード、データ、および他の情報を記憶し得る。
【０１２９】
逆方向リンクメッセージは、通信リンクおよび／または受信データストリームに関する様々なタイプの情報を備え得る。次いで、逆方向リンクメッセージは、データソース１１３６からいくつかのデータストリームのトラフィックデータをも受信するＴＸデータプロセッサ１１３８によって処理され、変調器１１８０によって変調され、トランシーバ１１５４Ａ〜１１５４Ｒによって調整され、デバイス１１１０に戻される。
【０１３０】
デバイス１１１０では、デバイス１１５０からの変調信号は、アンテナ１１２４によって受信され、トランシーバ１１２２によって調整され、復調器（ＤＥＭＯＤ）１１４０によって復調され、ＲＸデータプロセッサ１１４２によって処理されて、デバイス１１５０によって送信された逆方向リンクメッセージが抽出される。次いで、プロセッサ１１３０は、ビームフォーミング重みを判断するためにどのプリコーディング行列を使用すべきかを判断し、次いで、抽出されたメッセージを処理する。
【０１３１】
図１１はまた、通信構成要素が、本明細書で教示する干渉制御動作を実行する１つまたは複数の構成要素を含むことができることを示す。たとえば、干渉（「ＩＮＴＥＲ」）制御構成要素１１９０は、プロセッサ１１３０および／またはデバイス１１１０の他の構成要素と協働して、本明細書で教示する別のデバイス（たとえば、デバイス１１５０）との間で信号を送信／受信し得る。同様に、干渉制御構成要素１１９２は、プロセッサ１１７０および／またはデバイス１１５０の他の構成要素と協働して、別のデバイス（たとえば、デバイス１１１０）との間で信号を送信／受信し得る。各デバイス１１１０および１１５０について、記載の構成要素の２つ以上の機能が単一の構成要素によって提供され得ることを諒解されたい。たとえば、単一の処理構成要素が干渉制御構成要素１１９０およびプロセッサ１１３０の機能を提供し、また、単一の処理構成要素が干渉制御構成要素１１９２およびプロセッサ１１７０の機能を提供し得る。
【０１３２】
一態様では、論理チャネルは、制御チャネルとトラフィックチャネルとに分類され得る。論理制御チャネルは、システム制御情報をブロードキャストするためのＤＬチャネルであるブロードキャスト制御チャネル（Ｂｒｏａｄｃａｓｔ  Ｃｏｎｔｒｏｌ  Ｃｈａｎｎｅｌ：ＢＣＣＨ）を含むことができる。さらに、論理制御チャネルは、ページング情報を転送するＤＬチャネルであるページング制御チャネル（Ｐａｇｉｎｇ  Ｃｏｎｔｒｏｌ  Ｃｈａｎｎｅｌ：ＰＣＣＨ）を含むことができる。その上、論理制御チャネルはマルチキャスト制御チャネル（Ｍｕｌｔｉｃａｓｔ  Ｃｏｎｔｒｏｌ  Ｃｈａｎｎｅｌ：ＭＣＣＨ）を含むことができ、マルチキャスト制御チャネルは、１つまたは複数のマルチキャストトラフィックチャネル（Ｍｕｌｔｉｃａｓｔ  Ｃｏｎｔｒｏｌ  Ｔｒａｆｆｉｃ  Ｃｈａｎｎｅｌ：ＭＴＣＨ）についてのマルチメディアブロードキャストおよびマルチキャストサービス（Ｍｕｌｔｉｍｅｄｉａ  Ｂｒｏａｄｃａｓｔ  ａｎｄ  Ｍｕｌｔｉｃａｓｔ  Ｓｅｒｖｉｃｅ：ＭＢＭＳ）のスケジューリングおよび制御情報を送信するために使用されるポイントツーマルチポイントＤＬチャネルである。概して、無線リソース制御（Ｒａｄｉｏ  Ｒｅｓｏｕｃｅ  Ｃｏｎｔｒｏｌ：ＲＲＣ）接続を確立した後、このチャネルは、ＭＢＭＳ（たとえば、古いＭＣＣＨ＋ＭＳＣＨ）を受信するＵＥによって使用されるだけである。さらに、論理制御チャネルは専用制御チャネル（Ｄｅｄｉｃａｔｅｄ  Ｃｏｎｔｏｒｏｌ  Ｃｈａｎｎｅｌ：ＤＣＣＨ）を含むことができ、専用制御チャネルは、専用制御情報を送信するポイントツーポイント双方向チャネルであり、ＲＲＣ接続を有するＵＥによって使用できる。一態様では、論理トラフィックチャネルは、ユーザ情報を転送するための１つのＵＥに専用のポイントツーポイント双方向チャネルである専用トラフィックチャネル（Ｄｅｄｉｃａｔｅｄ  Ｔｒａｆｆｉｃ  Ｃｈａｎｎｅｌ：ＤＴＣＨ）を備えることができる。また、論理トラフィックチャネルは、トラフィックデータを送信するためのポイントツーマルチポイントＤＬチャネルであるＭＴＣＨを含むことができる。
【０１３３】
一態様では、トランスポートチャネルは、ＤＬとＵＬとに分類される。ＤＬトランスポートチャネルは、ブロードキャストチャネル（Ｂｒｏａｄｃａｓｔ  Ｃｈａｎｎｅｌ：ＢＣＨ）、ダウンリンク共有データチャネル（Ｄｏｗｎｌｉｎｋ  Ｓｈａｒｅｄ  Ｄａｔａ  Ｃｈａｎｎｅｌ：ＤＬ−ＳＤＣＨ）、およびページングチャネル（Ｐａｇｉｎｇ  Ｃｈａｎｎｅｌ：ＰＣＨ）を含むことができる。ＰＣＨは、セル全体にわたってブロードキャストされることと、他の制御／トラフィックチャネルのために使用することができる物理レイヤ（Ｐｈｙｓｉｃａｌ  ｌａｙｅｒ：ＰＨＹ）リソースにマッピングされることとによって、ＵＥ節電（たとえば、ネットワークが不連続受信（Ｄｉｓｃｏｎｔｉｎｕｏｕｓ  Ｒｅｃｅｐｔｉｏｎ：ＤＲＸ）サイクルをＵＥに示すことがある）をサポートすることができる。ＵＬトランスポートチャネルは、ランダムアクセスチャネル（Ｒａｎｄｏｍ  Ａｃｃｅｓｓ  Ｃｈａｎｎｅｌ：ＲＡＣＨ）、要求チャネル（Ｒｅｑｕｅｓｔ  Ｃｈａｎｎｅｌ：ＲＥＱＣＨ）、アップリンク共有データチャネル（Ｕｐｌｉｎｋ  Ｓｈａｒｅｄ  Ｄａｔａ  Ｃｈａｎｎｅｌ：ＵＬ−ＳＤＣＨ）、および複数のＰＨＹチャネルを備えることができる。
【０１３４】
ＰＨＹチャネルは、ＤＬチャネルとＵＬチャネルとのセットを含むことができる。たとえば、ＤＬ  ＰＨＹチャネルは、共通パイロットチャネル（Ｃｏｍｍｏｎ  Ｐｉｌｏｔ  Ｃｈａｎｎｅｌ：ＣＰＩＣＨ）、同期チャネル（Ｓｙｎｃｈｒｏｎｉｚａｔｉｏｎ  Ｃｈａｎｎｅｌ：ＳＣＨ）、共通制御チャネル（Ｃｏｍｍｏｎ  Ｃｏｎｔｒｏｌ  Ｃｈａｎｎｅｌ：ＣＣＣＨ）、共有ＤＬ制御チャネル（Ｓｈａｒｅｄ  ＤＬ  Ｃｏｎｔｒｏｌ  Ｃｈａｎｎｅｌ：ＳＤＣＣＨ）、マルチキャスト制御チャネル（Ｍｕｌｔｉｃａｓｔ  Ｃｏｎｔｒｏｌ  Ｃｈａｎｎｅｌ：ＭＣＣＨ）、共有ＵＬ割当てチャネル（Ｓｈａｒｅｄ  ＵＬ  Ａｓｓｉｇｎｍｅｎｔ  Ｃｈａｎｎｅｌ：ＳＵＡＣＨ）、肯定応答チャネル（Ａｃｋｎｏｗｌｅｄｇｅｍｅｎｔ  Ｃｈａｎｎｅｌ：ＡＣＫＣＨ）、ＤＬ物理共有データチャネル（ＤＬ  Ｐｈｙｓｉｃａｌ  Ｓｈａｒｅｄ  Ｄａｔａ  Ｃｈａｎｎｅｌ：ＤＬ−ＰＳＤＣＨ）、ＵＬ電力制御チャネル（ＵＬ  Ｐｏｗｅｒ  Ｃｏｎｔｒｏｌ  Ｃｈａｎｎｅｌ：ＵＰＣＣＨ）、ページングインジケータチャネル（Ｐａｇｉｎｇ  Ｉｎｄｉｃａｔｏｒ  Ｃｈａｎｎｅｌ：ＰＩＣＨ）、および／または負荷インジケータチャネル（Ｌｏａｄ  Ｉｎｄｉｃａｔｏｒ  Ｃｈａｎｎｅｌ：ＬＩＣＨ）を含むことができる。さらなる例として、ＵＬ  ＰＨＹチャネルは、物理ランダムアクセスチャネル（Ｐｈｙｓｉｃａｌ  Ｒａｎｄｏｍ  Ａｃｃｅｓｓ  Ｃｈａｎｎｅｌ：ＰＲＡＣＨ）、チャネル品質インジケータチャネル（Ｃｈａｎｎｅｌ  Ｑｕａｌｉｔｙ  Ｉｎｄｉｃａｔｏｒ  Ｃｈａｎｎｅｌ：ＣＱＩＣＨ）、肯定応答チャネル（ＡＣＫＣＨ）、アンテナサブセットインジケータチャネル（Ａｎｔｅｎａ  Ｓｕｂｓｅｔ  Ｉｎｄｉｃａｔｏｒ  Ｃｈａｎｎｅｌ：ＡＳＩＣＨ）、共有要求チャネル（Ｓｈａｒｅｄ  Ｒｅｑｕｅｓｔ  Ｃｈａｎｎｅｌ：ＳＲＥＱＣＨ）、ＵＬ物理共有データチャネル（ＵＬ  Ｐｈｙｓｉｃａｌ  Ｓｈａｒｅｄ  Ｄａｔａ  Ｃｈａｎｎｅｌ：ＵＬ−ＰＳＤＣＨ）、および／またはブロードバンドパイロットチャネル（Ｂｒｏａｄｂａｎｄ  Ｐｉｌｏｔ  Ｃｈａｎｎｅｌ：ＢＰＩＣＨ）を含むことができる。
【０１３５】
本明細書で説明する実施形態は、ハードウェア、ソフトウェア、ファームウェア、ミドルウェア、マイクロコード、またはそれらの任意の組合せで実装され得ることを理解されたい。ハードウェア実装の場合、処理ユニットは、１つまたは複数の特定用途向け集積回路（ａｐｐｌｉｃａｔｉｏｎ  ｓｐｅｃｉｆｉｃ  ｉｎｔｅｇｒａｔｅｄ  ｃｉｒｃｕｉｔ：ＡＳＩＣ）、デジタル信号プロセッサ（ｄｉｇｉｔａｌ  ｓｉｇｎａｌ  ｐｒｏｃｅｓｓｏｒ：ＤＳＰ）、デジタル信号処理デバイス（ｄｉｇｉｔａｌ  ｓｉｇｎａｌ  ｐｒｏｃｅｓｓｉｎｇ  ｄｅｖｉｃｅ：ＤＳＰＤ）、プログラマブル論理デバイス（ｐｒｏｇｒａｍｍａｂｌｅ  ｌｏｇｉｃ  ｄｅｖｉｃｅ：ＰＬＤ）、フィールドプログラマブルゲートアレイ（ｆｉｅｌｄ  ｐｒｏｇｒａｍｍａｂｌｅ  ｇａｔｅ  ａｒｒａｙ：ＦＰＧＡ）、プロセッサ、コントローラ、マイクロコントローラ、マイクロプロセッサ、および／または本明細書で説明する機能を実行するように設計された他の電子ユニット、またはそれらの組合せ内で実装され得る。
【０１３６】
実施形態は、ソフトウェア、ファームウェア、ミドルウェアまたはマイクロコード、プログラムコードまたはコードセグメントで実装した場合、ストレージ構成要素などの機械可読媒体（またはコンピュータ可読媒体）に記憶され得る。コードセグメントは、プロシージャ、関数、サブプログラム、プログラム、ルーチン、サブルーチン、モジュール、ソフトウェアパッケージ、クラス、または命令、データ構造もしくはプログラムステートメントの任意の組合せを表すことができる。コードセグメントは、情報、データ、引数、パラメータ、またはメモリ内容をパスおよび／または受信することによって、別のコードセグメントまたはハードウェア回路に結合され得る。情報、引数、パラメータ、データなどは、メモリ共有、メッセージパッシング、トークンパッシング、ネットワーク送信などを含む、適切な手段を使用してパス、フォワーディング、または送信することができる。
【０１３７】
ソフトウェア実装の場合、本明細書で説明する技法は、本明細書で説明する機能を実行するモジュール（たとえば、プロシージャ、関数など）を用いて実装され得る。ソフトウェアコードは、メモリユニットに記憶され、プロセッサによって実行され得る。メモリユニットは、プロセッサの内部またはプロセッサの外部に実装でき、その場合、当技術分野で知られているように様々な手段によってプロセッサに通信可能に結合され得る。
【０１３８】
以上の説明は、１つまたは複数の実施形態の例を含む。もちろん、上述の実施形態について説明する目的で、構成要素または方法のあらゆる考えられる組合せについて説明することは不可能であるが、当業者なら、様々な実施形態の多数のさらなる組合せおよび置換が可能であることを認識されよう。したがって、説明した実施形態は、添付の特許請求の範囲の趣旨および範囲内に入るすべてのそのような改変形態、変更形態および変形形態を包含するものとする。さらに、「含む（ｉｎｃｌｕｄｅ）」という用語は、発明を実施するための形態または特許請求の範囲のいずれかにおいて使用される限り、「備える（ｃｏｍｐｒｉｓｉｎｇ）」という用語が採用されると請求項における移行語と解釈されるように「備える（ｃｏｍｐｒｉｓｉｎｇ）」と同様に包括的なものとする。
【図１】
2014090476.tif 000003
【図２】
2014090476.tif 000004
【図３】
2014090476.tif 000005
【図４】
2014090476.tif 000006
【図５】
2014090476.tif 000007
【図６Ａ】
2014090476.tif 000008
【図６Ｂ】
2014090476.tif 000009
【図７】
2014090476.tif 000010
【図８Ａ】
2014090476.tif 000011
【図８Ｂ】
2014090476.tif 000012
【図８Ｃ】
2014090476.tif 000013
【図８Ｄ】
2014090476.tif 000014
【図８Ｅ】
2014090476.tif 000015
【図９】
2014090476.tif 000016
【図１０】
2014090476.tif 000017
【図１１】
2014090476.tif 000018
【手続補正書】
【提出日】平成26年1月8日(2014.1.8)
【手続補正１】
【補正対象書類名】特許請求の範囲
【補正対象項目名】全文
【補正方法】変更
【補正の内容】
【特許請求の範囲】
【請求項１】
ワイヤレス通信システムにおける緊急コールサービスを可能にするための方法であって、前記方法が、
ユーザ機器の構成パラメータを修正することであって、前記構成パラメータが、前記ワイヤレス通信システム内のネットワーク選択、セル選択または再選択、あるいはサービス選択のうちの少なくとも１つに関係し、修正された構成パラメータが、前記ユーザ機器による優先を生じ、前記ユーザ機器による前記優先が、前記ユーザ機器によって緊急コールをサポートするように構成されたネットワーク、セルまたはサービスについてである、修正すること、および
少なくとも前記構成パラメータの修正に基づいて、ネットワーク領域を別のものよりも優先させること
を備える、方法。
【請求項２】
前記構成パラメータが、前記ユーザ機器の領域優先モードを示す情報を含み、前記領域優先モードが回線交換領域またはパケット交換領域中の動作についての相対的優先度を備え、
前記方法が、少なくとも前記構成パラメータを前記修正することに基づいて、パケット交換サービスよりも回線交換サービスを優先させることをさらに備える、請求項１に記載の方法。
【請求項３】
前記ユーザ機器による動作が、構成パラメータを修正することより前にパケット交換モードにあり、前記構成パラメータが、前記ユーザ機器に緊急コールサービスを提供するように構成されたネットワークを示す情報を含む、請求項１に記載の方法。
【請求項４】
回線交換音声サービスを含む複数の音声サービスが前記ユーザ機器にとって利用可能であり、前記構成パラメータが、前記ユーザ機器の音声領域の優先を示す情報を含み、
前記方法が、少なくとも前記構成パラメータを前記修正することに基づいて、前記回線交換音声サービスを優先的にまたは排他的に利用することをさらに備える、請求項１に記載の方法。
【請求項５】
前記構成パラメータが複数のセル再選択優先度を示す情報を含み、前記ワイヤレス通信システムが複数のネットワークを含み、前記複数のネットワークのうちの少なくとも１つが前記ユーザ機器の元のサービングネットワークであり、前記複数のネットワークのうちの少なくとも別のネットワークが、前記ユーザ機器に緊急コールサービスを提供するように構成されたネットワークであり、
前記方法が、少なくとも前記構成パラメータを前記修正することに基づいて、前記ユーザ機器の前記元のサービングネットワークよりも、前記ユーザ機器に緊急コールサービスを提供するように構成された前記ネットワークを優先させることをさらに備える、請求項１に記載の方法。
【請求項６】
前記構成パラメータが複数のセル再選択優先度を示す情報を含み、前記ワイヤレス通信システムが複数のネットワークを含み、前記複数のネットワークのうちの少なくとも１つが前記ユーザ機器の元のサービングネットワークであり、前記複数のネットワークのうちの少なくとも別のネットワークが、前記ユーザ機器に緊急コールサービスを提供するように構成されたネットワークであり、
前記方法は、少なくとも、前記ユーザ機器が前記元のサービングネットワークから音声サービスを取得することができるかどうかについての前記ユーザ機器による判断に基づいて、前記ユーザ機器に緊急コールサービスを提供するように構成された前記ネットワーク、または前記ユーザ機器の前記元のサービングネットワークを優先させることをさらに備える、請求項１に記載の方法。
【請求項７】
前記構成パラメータが複数のセル再選択優先度を示す情報を含み、前記ワイヤレス通信システムが複数のネットワークを含み、前記複数のネットワークのうちの少なくとも１つが前記ユーザ機器の元のサービングネットワークであり、前記複数のネットワークのうちの少なくとも別のネットワークが、前記ユーザ機器に緊急コールサービスを提供するように構成されたネットワークであり、
前記方法が、少なくとも前記構成パラメータを前記修正することに基づいて、前記ユーザ機器の前記元のサービングネットワークとの通信を無効化することと、前記ユーザ機器に緊急コールサービスを提供するように構成された前記ネットワークを優先することとをさらに備える、請求項１に記載の方法。
【請求項８】
ユーザ機器の構成パラメータを前記修正することが、前記ユーザ機器によって自律的に実行される、請求項１に記載の方法。
【請求項９】
前記ユーザ機器が電源切断されること、またはタイマーが満了することのうちの少なくとも１つが起こるまで、修正された構成パラメータの値が残存する、請求項１に記載の方法。
【請求項１０】
前記タイマーの値が前記ユーザ機器において構成される、請求項９に記載の方法。
【請求項１１】
前記タイマーの値が、前記ワイヤレス通信システムのネットワークによって構成され、前記ワイヤレス通信システムの前記ネットワークによって前記ユーザ機器に送信される、請求項９に記載の方法。
【請求項１２】
前記タイマーの値が、緊急コールのコールバックを実行するための時間よりも大きい、請求項９に記載の方法。
【請求項１３】
コンピュータに前記コンピュータの構成パラメータを修正させるためのコードの第１のセットであって、前記構成パラメータが、ワイヤレス通信システム内のネットワーク選択、セル選択または再選択、あるいはサービス選択のうちの少なくとも１つに関係し、修正された構成パラメータが、ユーザ機器によって緊急コールをサポートするように構成されたネットワーク、セルまたはサービスについての前記コンピュータによる優先を生じ、前記コンピュータが前記ユーザ機器中に含まれる、コードの第１のセットと、
コンピュータに少なくとも前記構成パラメータの修正に基づいて、ネットワーク領域を別のものよりも優先させるためのコードの第２のセットと
を備える、コンピュータ可読媒体
を備える、コンピュータプログラム製品。
【請求項１４】
前記構成パラメータが、前記コンピュータの領域優先モードを示す情報を含み、前記領域優先モードが回線交換領域またはパケット交換領域中の動作についての相対的優先度を備え、
前記コンピュータプログラム製品が、少なくとも前記構成パラメータを前記修正することに基づいて、前記コンピュータに、パケット交換サービスよりも回線交換サービスを優先させるためのコードのセットをさらに備える、請求項１３に記載のコンピュータプログラム製品。
【請求項１５】
前記コンピュータが、構成パラメータを修正することより前にパケット交換モードで動作するように構成され、前記構成パラメータが、前記コンピュータに緊急コールサービスを提供するように構成されたネットワークを示す情報を含む、請求項１３に記載のコンピュータプログラム製品。
【請求項１６】
回線交換音声サービスを含む複数の音声サービスが前記ユーザ機器にとって利用可能であり、前記構成パラメータが前記コンピュータの音声領域の優先を示す情報を含み、
前記コンピュータプログラム製品が、少なくとも前記構成パラメータを前記修正することに基づいて、前記コンピュータに、前記回線交換音声サービスを優先的にまたは排他的に利用させるためのコードのセットをさらに備える、請求項１３に記載のコンピュータプログラム製品。
【請求項１７】
前記構成パラメータが複数のセル再選択優先度を示す情報を含み、前記ワイヤレス通信システムが複数のネットワークを含み、前記複数のネットワークのうちの少なくとも１つが前記コンピュータの元のサービングネットワークであり、前記複数のネットワークのうちの少なくとも別のネットワークが、前記コンピュータに緊急コールサービスを提供するように構成されたネットワークであり、
前記コンピュータプログラム製品が、少なくとも前記構成パラメータを前記修正することに基づいて、前記コンピュータに、前記コンピュータの前記元のサービングネットワークよりも、前記コンピュータに緊急コールサービスを提供するように構成された前記ネットワークを優先させるためのコードのセットをさらに備える、請求項１３に記載のコンピュータプログラム製品。
【請求項１８】
前記構成パラメータが複数のセル再選択優先度を示す情報を含み、前記ワイヤレス通信システムが複数のネットワークを含み、前記複数のネットワークのうちの少なくとも１つが前記ユーザ機器の元のサービングネットワークであり、前記複数のネットワークのうちの少なくとも別のネットワークが、前記コンピュータに緊急コールサービスを提供するように構成されたネットワークであり、
前記コンピュータプログラム製品は、少なくとも、前記コンピュータが前記元のサービングネットワークから音声サービスを取得することができるかどうかについての前記コンピュータによる判断に基づいて、前記コンピュータに、前記コンピュータに緊急コールサービスを提供するように構成された前記ネットワーク、または前記コンピュータの前記元のサービングネットワークを優先させるためのコードのセットをさらに備える、請求項１３に記載のコンピュータプログラム製品。
【請求項１９】
前記構成パラメータが複数のセル再選択優先度を示す情報を含み、前記ワイヤレス通信システムが複数のネットワークを含み、前記複数のネットワークのうちの少なくとも１つが前記コンピュータの元のサービングネットワークであり、前記複数のネットワークのうちの少なくとも別のネットワークが、前記コンピュータに緊急コールサービスを提供するように構成されたネットワークであり、
前記コンピュータプログラム製品が、少なくとも前記構成パラメータを前記修正することに基づいて、前記コンピュータに、前記コンピュータの前記元のサービングネットワークとの通信を無効化させ、前記コンピュータに緊急コールサービスを提供するように構成された前記ネットワークを優先させるためのコードのセットをさらに備える、請求項１３に記載のコンピュータプログラム製品。
【請求項２０】
コンピュータの構成パラメータを前記修正することが、前記コンピュータによって自律的に実行される、請求項１３に記載のコンピュータプログラム製品。
【請求項２１】
前記コンピュータが電源切断されること、またはタイマーが満了することのうちの少なくとも１つが起こるまで、修正された構成パラメータの値が残存する、請求項１３に記載のコンピュータプログラム製品。
【請求項２２】
前記タイマーの値が前記コンピュータにおいて構成される、請求項２１に記載のコンピュータプログラム製品。
【請求項２３】
前記タイマーの値が、前記ワイヤレス通信システムのネットワークによって構成され、前記ワイヤレス通信システムの前記ネットワークによって前記コンピュータに送信される、請求項２１に記載のコンピュータプログラム製品。
【請求項２４】
前記タイマーの値が、緊急コールのコールバックを実行するための時間よりも大きい、請求項２１に記載のコンピュータプログラム製品。
【請求項２５】
装置であって、
ユーザ機器の構成パラメータを修正するための手段であって、前記構成パラメータが、ワイヤレス通信システム内のネットワーク選択、セル選択または再選択、あるいはサービス選択のうちの少なくとも１つに関係し、修正された構成パラメータが、前記装置による緊急コールをサポートするように構成されたネットワーク、セルまたはサービスについての前記装置による優先を生じる、修正するための手段と、および
少なくとも前記構成パラメータの修正に基づいて、ネットワーク領域を別のものよりも優先させるための手段と
を備える、装置。
【請求項２６】
前記構成パラメータが、前記装置の領域優先モードを示す情報を含み、前記領域優先モードが回線交換領域またはパケット交換領域中の動作についての相対的優先度を備え、
前記装置が、少なくとも前記構成パラメータを前記修正することに基づいて、パケット交換サービスよりも回線交換サービスを優先させるための手段をさらに備える、請求項２５に記載の装置。
【請求項２７】
前記装置が、構成パラメータを修正することより前にパケット交換モードで動作するように構成され、前記構成パラメータが、前記装置に緊急コールサービスを提供するように構成されたネットワークを示す情報を含む、請求項２５に記載の装置。
【請求項２８】
回線交換音声サービスを含む複数の音声サービスが前記装置にとって利用可能であり、前記構成パラメータが前記装置の音声領域の優先を示す情報を含み、
前記装置が、少なくとも前記構成パラメータを前記修正することに基づいて、前記回線交換音声サービスを優先的にまたは排他的に利用するための手段をさらに備える、請求項２５に記載の装置。
【請求項２９】
前記構成パラメータが複数のセル再選択優先度を示す情報を含み、前記ワイヤレス通信システムが複数のネットワークを含み、前記複数のネットワークのうちの少なくとも１つが前記装置の元のサービングネットワークであり、前記複数のネットワークのうちの少なくとも別のネットワークが、前記装置に緊急コールサービスを提供するように構成されたネットワークであり、
前記装置が、少なくとも前記構成パラメータを前記修正することに基づいて、前記装置の前記元のサービングネットワークよりも、前記装置に緊急コールサービスを提供するように構成された前記ネットワークを優先させるための手段をさらに備える、請求項２５に記載の装置。
【請求項３０】
前記構成パラメータが複数のセル再選択優先度を示す情報を含み、前記ワイヤレス通信システムが複数のネットワークを含み、前記複数のネットワークのうちの少なくとも１つが前記装置の元のサービングネットワークであり、前記複数のネットワークのうちの少なくとも別のネットワークが、前記装置に緊急コールサービスを提供するように構成されたネットワークであり、
前記装置は、少なくとも、前記ユーザ機器が前記元のサービングネットワークから音声サービスを取得することができるかどうかについての前記装置による判断に基づいて、前記装置に緊急コールサービスを提供するように構成された前記ネットワーク、または前記装置の前記元のサービングネットワークを優先させるための手段をさらに備える、請求項２５に記載の装置。
【請求項３１】
前記構成パラメータが複数のセル再選択優先度を示す情報を含み、前記ワイヤレス通信システムが複数のネットワークを含み、前記複数のネットワークのうちの少なくとも１つが前記装置の元のサービングネットワークであり、前記複数のネットワークのうちの少なくとも別のネットワークが、前記装置に緊急コールサービスを提供するように構成されたネットワークであり、
前記装置が、少なくとも前記構成パラメータを前記修正することに基づいて、前記装置の前記元のサービングネットワークとの通信を無効化し、前記装置に緊急コールサービスを提供するように構成された前記ネットワークを優先するための手段をさらに備える、請求項２５に記載の装置。
【請求項３２】
装置の構成パラメータを前記修正することが、前記ユーザ機器によって自律的に実行される、請求項２５に記載の装置。
【請求項３３】
前記装置が電源切断されること、またはタイマーが満了することのうちの少なくとも１つが起こるまで、修正された構成パラメータの値が残存する、請求項２５に記載の装置。
【請求項３４】
前記タイマーの値が前記装置において構成される、請求項３３に記載の装置。
【請求項３５】
前記タイマーの値が、前記ワイヤレス通信システムのネットワークによって構成され、前記ワイヤレス通信システムの前記ネットワークによって前記装置に送信される、請求項３３に記載の装置。
【請求項３６】
前記タイマーの値が、緊急コールのコールバックを実行するための時間よりも大きい、請求項３３に記載の装置。
【請求項３７】
装置であって、
ユーザ機器の構成パラメータを修正することであって、前記構成パラメータが、ワイヤレス通信システム内のネットワーク選択、セル選択または再選択、あるいはサービス選択のうちの少なくとも１つに関係し、修正された構成パラメータが、前記装置による緊急コールをサポートするように構成されたネットワーク、セルまたはサービスについての前記装置による優先を生じ、前記装置がユーザ機器である、修正すること、および
少なくとも前記構成パラメータの修正に基づいて、ネットワーク領域を別のものよりも優先させること
を行うように構成された構成モジュール
を備える、装置。
【請求項３８】
前記構成パラメータが、前記装置の領域優先モードを示す情報を含み、前記領域優先モードが回線交換領域またはパケット交換領域中の動作についての相対的優先度を備え、
前記構成モジュールが、少なくとも前記構成パラメータを前記修正することに基づいて、パケット交換サービスよりも回線交換サービスを優先させるようにさらに構成された、請求項３７に記載の装置。
【請求項３９】
前記装置が、構成パラメータを修正することより前にパケット交換モードで動作するように構成され、前記構成パラメータが、前記装置に緊急コールサービスを提供するように構成されたネットワークを示す情報を含む、請求項３７に記載の装置。
【請求項４０】
回線交換音声サービスを含む複数の音声サービスが前記装置にとって利用可能であり、前記構成パラメータが前記装置の音声領域の優先を示す情報を含み、
前記構成モジュールが、少なくとも前記構成パラメータを前記修正することに基づいて、前記回線交換音声サービスを優先的にまたは排他的に利用するようにさらに構成された、請求項３７に記載の装置。
【請求項４１】
前記構成パラメータが複数のセル再選択優先度を示す情報を含み、前記ワイヤレス通信システムが複数のネットワークを含み、前記複数のネットワークのうちの少なくとも１つが前記装置の元のサービングネットワークであり、前記複数のネットワークのうちの少なくとも別のネットワークが、前記装置に緊急コールサービスを提供するように構成されたネットワークであり、
前記構成モジュールが、少なくとも前記構成パラメータを前記修正することに基づいて、前記装置の前記元のサービングネットワークよりも、前記装置に緊急コールサービスを提供するように構成された前記ネットワークを優先させるようにさらに構成された、請求項３７に記載の装置。
【請求項４２】
前記構成パラメータが複数のセル再選択優先度を示す情報を含み、前記ワイヤレス通信システムが複数のネットワークを含み、前記複数のネットワークのうちの少なくとも１つが前記装置の元のサービングネットワークであり、前記複数のネットワークのうちの少なくとも別のネットワークが、前記装置に緊急コールサービスを提供するように構成されたネットワークであり、
前記構成モジュールは、少なくとも、前記ユーザ機器が前記元のサービングネットワークから音声サービスを取得することができるかどうかについての前記装置による判断に基づいて、前記装置に緊急コールサービスを提供するように構成された前記ネットワーク、または前記装置の前記元のサービングネットワークを優先させるようにさらに構成された、請求項３７に記載の装置。
【請求項４３】
前記構成パラメータが複数のセル再選択優先度を示す情報を含み、前記ワイヤレス通信システムが複数のネットワークを含み、前記複数のネットワークのうちの少なくとも１つが前記装置の元のサービングネットワークであり、前記複数のネットワークのうちの少なくとも別のネットワークが、前記装置に緊急コールサービスを提供するように構成されたネットワークであり、
前記構成モジュールが、少なくとも前記構成パラメータを前記修正することに基づいて、前記装置の前記元のサービングネットワークとの通信を無効化し、前記装置に緊急コールサービスを提供するように構成された前記ネットワークを優先するようにさらに構成された、請求項３７に記載の装置。
【請求項４４】
装置の構成パラメータを前記修正することが、前記ユーザ機器によって自律的に実行される、請求項３７に記載の装置。
【請求項４５】
前記装置が電源切断されること、またはタイマーが満了することのうちの少なくとも１つが起こるまで、修正された構成パラメータの値が残存する、請求項３７に記載の装置。
【請求項４６】
前記タイマーの値が前記装置において構成される、請求項４５に記載の装置。
【請求項４７】
前記タイマーの値が、前記ワイヤレス通信システムのネットワークによって構成され、前記ワイヤレス通信システムの前記ネットワークによって前記装置に送信される、請求項４５に記載の装置。
【請求項４８】
前記タイマーの値が、緊急コールのコールバックを実行するための時間よりも大きい、請求項４５に記載の装置。
【請求項４９】
ワイヤレス通信システムにおける緊急コールサービスを可能にするための方法であって、前記方法が、
ユーザ機器から緊急コールの開始についての要求を示す情報を受信することと、
緊急コールサービスを受信すること、または前記ユーザ機器に緊急コールサービスを提供することであって、受信すること、または提供することは、少なくとも、前記ユーザ機器がユーザ機器の構成パラメータを修正することに基づいてネットワークによって実行され、前記構成パラメータが、前記ワイヤレス通信システム内のネットワーク選択、セル選択または再選択、あるいはサービス選択のうちの少なくとも１つに関係し、修正された構成パラメータが、前記ネットワークについての前記ユーザ機器による優先を生じ、ネットワーク領域が、少なくとも前記構成パラメータの修正に基づいて、別のものよりも優先させられる、受信すること、または提供することと
を備える、方法。
【請求項５０】
修正された構成パラメータの値が残存する間、ユーザ機器に緊急コールサービスを前記提供することが実行され、前記ユーザ機器が電源切断されること、またはタイマーが満了することのうちの少なくとも１つが起こるまで、修正された構成パラメータの前記値が残存する、請求項４９に記載の方法。
【請求項５１】
緊急コールの終了または失敗後に、前記ユーザ機器に対して前記緊急コールのコールバックを開始することをさらに備え、前記修正された構成パラメータの前記値が残存する間、コールバックを開始することが実行される、請求項５０に記載の方法。
【請求項５２】
コンピュータに、ユーザ機器から緊急コールの開始についての要求を示す情報を受信させるためのコードの第１のセットと、
前記コンピュータに、緊急コールサービスを受信すること、または前記ユーザ機器に緊急コールサービスを提供することを行わせるためのコードの第２のセットであって、受信すること、または提供することは、少なくとも、前記ユーザ機器がユーザ機器の構成パラメータを修正することに基づいて前記コンピュータによって実行され、前記構成パラメータが、ワイヤレス通信システム内のネットワーク選択、セル選択または再選択、あるいはサービス選択のうちの少なくとも１つに関係し、修正された構成パラメータが、前記ユーザ機器に緊急コールサービスを提供するように構成されたネットワークについての前記ユーザ機器による優先を生じ、ネットワーク領域が、少なくとも前記構成パラメータの修正に基づいて、別のものよりも優先させられる、コードの第２のセットと
を備える、コンピュータ可読媒体
を備える、コンピュータプログラム製品。
【請求項５３】
修正された構成パラメータの値が残存する間、緊急コールサービスを受信すること、またはユーザ機器に緊急コールサービスを提供することが実行され、前記ユーザ機器が電源切断されること、またはタイマーが満了することのうちの少なくとも１つが起こるまで、修正された構成パラメータの前記値が残存する、請求項５２に記載のコンピュータプログラム製品。
【請求項５４】
前記コンピュータに、前記緊急コールの終了または失敗後に、前記ユーザ機器に対して緊急コールのコールバックを開始させるためのコードの第３のセットであって、修正された構成パラメータの前記値が残存する間、コールバックを開始することが実行される、コードの第３のセットをさらに備える、請求項５３に記載のコンピュータプログラム製品。
【請求項５５】
装置であって、
ユーザ機器から緊急コールの開始についての要求を示す情報を受信するための手段と、
緊急コールサービスを受信すること、または前記ユーザ機器に緊急コールサービスを提供するための手段であって、受信すること、または提供することが、少なくとも、前記ユーザ機器がユーザ機器の構成パラメータを修正することに基づいて前記装置によって実行され、前記構成パラメータが、ワイヤレス通信システム内のネットワーク選択、セル選択または再選択、あるいはサービス選択のうちの少なくとも１つに関係し、修正された構成パラメータが、前記ユーザ機器に緊急コールサービスを提供するように構成されたネットワークについての前記ユーザ機器による優先を生じ、ネットワーク領域が、少なくとも前記構成パラメータの修正に基づいて、別のものよりも優先させられる、受信すること、または提供するための手段と
を備える、装置。
【請求項５６】
修正された構成パラメータの値が残存する間、緊急コールサービスを受信すること、またはユーザ機器に緊急コールサービスを前記提供することが実行され、前記ユーザ機器が電源切断されること、またはタイマーが満了することのうちの少なくとも１つが起こるまで、修正された構成パラメータの前記値が残存する、請求項５５に記載の装置。
【請求項５７】
緊急コールの終了または失敗後に、前記ユーザ機器に対して前記緊急コールのコールバックを開始するための手段をさらに備え、修正された構成パラメータの前記値が残存する間、コールバックを開始することが実行される、請求項５６に記載の装置。
【請求項５８】
装置であって、
ユーザ機器から緊急コールの開始についての要求を示す情報を受信することと、
緊急コールサービスを受信すること、または前記ユーザ機器に緊急コールサービスを提供することであって、受信すること、または提供することが、少なくとも、前記ユーザ機器がユーザ機器の構成パラメータを修正することに基づいて前記装置によって実行され、前記構成パラメータが、ワイヤレス通信システム内のネットワーク選択、セル選択または再選択、あるいはサービス選択のうちの少なくとも１つに関係し、修正された構成パラメータが、前記ユーザ機器に緊急コールサービスを提供するように構成されたネットワークについての前記ユーザ機器による優先を生じ、ネットワーク領域が、少なくとも前記構成パラメータの修正に基づいて、別のものよりも優先させられる、受信すること、または提供することと
を行うように構成された構成モジュール
を備える、装置。
【請求項５９】
修正された構成パラメータの値が残存する間、ユーザ機器に緊急コールサービスを前記提供することが実行され、前記ユーザ機器が電源切断されること、またはタイマーが満了することのうちの少なくとも１つが起こるまで、修正された構成パラメータの前記値が残存する、請求項５８に記載の装置。
【請求項６０】
前記構成モジュールは、緊急コールの終了または失敗後に、前記ユーザ機器に対して前記緊急コールのコールバックを開始するようにさらに構成され、修正された構成パラメータの前記値が残存する間、コールバックを開始することが実行される、請求項５９に記載の装置。
【手続補正２】
【補正対象書類名】明細書
【補正対象項目名】０１３８
【補正方法】変更
【補正の内容】
【０１３８】
以上の説明は、１つまたは複数の実施形態の例を含む。もちろん、上述の実施形態について説明する目的で、構成要素または方法のあらゆる考えられる組合せについて説明することは不可能であるが、当業者なら、様々な実施形態の多数のさらなる組合せおよび置換が可能であることを認識されよう。したがって、説明した実施形態は、添付の特許請求の範囲の趣旨および範囲内に入るすべてのそのような改変形態、変更形態および変形形態を包含するものとする。さらに、「含む（ｉｎｃｌｕｄｅ）」という用語は、発明を実施するための形態または特許請求の範囲のいずれかにおいて使用される限り、「備える（ｃｏｍｐｒｉｓｉｎｇ）」という用語が採用されると請求項における移行語と解釈されるように「備える（ｃｏｍｐｒｉｓｉｎｇ）」と同様に包括的なものとする。
以下に本件出願当初の特許請求の範囲に記載された発明を付記する。
［１］ワイヤレス通信システムにおける緊急コールサービスを可能にするための方法であって、前記方法が、
ユーザ機器の構成パラメータを修正することであって、前記構成パラメータが、前記ワイヤレス通信システム内のネットワーク選択、セル選択または再選択、あるいはサービス選択のうちの少なくとも１つに関係し、修正された構成パラメータが、前記ユーザ機器による優先を生じ、前記ユーザ機器による前記優先が、前記ユーザ機器によって緊急コールをサポートするように構成されたネットワーク、セルまたはサービスについてである、修正すること
を備える、方法。
［２］前記構成パラメータが、前記ユーザ機器の領域優先モードを示す情報を含み、前記領域優先モードが回線交換領域またはパケット交換領域中の動作についての相対的優先度を備え、
前記方法が、少なくとも前記構成パラメータを前記修正することに基づいて、パケット交換サービスよりも回線交換サービスを優先させることをさらに備える、［１］に記載の方法。
［３］前記ユーザ機器による動作が、構成パラメータを修正することより前にパケット交換モードにあり、前記構成パラメータが、前記ユーザ機器に緊急コールサービスを提供するように構成されたネットワークを示す情報を含む、［１］に記載の方法。
［４］回線交換音声サービスを含む複数の音声サービスが前記ユーザ機器にとって利用可能であり、前記構成パラメータが、前記ユーザ機器の音声領域の優先を示す情報を含み、
前記方法が、少なくとも前記構成パラメータを前記修正することに基づいて、前記回線交換音声サービスを優先的にまたは排他的に利用することをさらに備える、［１］に記載の方法。
［５］前記構成パラメータが複数のセル再選択優先度を示す情報を含み、前記ワイヤレス通信システムが複数のネットワークを含み、前記複数のネットワークのうちの少なくとも１つが前記ユーザ機器の元のサービングネットワークであり、前記複数のネットワークのうちの少なくとも別のネットワークが、前記ユーザ機器に緊急コールサービスを提供するように構成されたネットワークであり、
前記方法が、少なくとも前記構成パラメータを前記修正することに基づいて、前記ユーザ機器の前記元のサービングネットワークよりも、前記ユーザ機器に緊急コールサービスを提供するように構成された前記ネットワークを優先させることをさらに備える、［１］に記載の方法。
［６］前記構成パラメータが複数のセル再選択優先度を示す情報を含み、前記ワイヤレス通信システムが複数のネットワークを含み、前記複数のネットワークのうちの少なくとも１つが前記ユーザ機器の元のサービングネットワークであり、前記複数のネットワークのうちの少なくとも別のネットワークが、前記ユーザ機器に緊急コールサービスを提供するように構成されたネットワークであり、
前記方法は、少なくとも、前記ユーザ機器が前記元のサービングネットワークから音声サービスを取得することができるかどうかについての前記ユーザ機器による判断に基づいて、前記ユーザ機器に緊急コールサービスを提供するように構成された前記ネットワーク、または前記ユーザ機器の前記元のサービングネットワークを優先させることをさらに備える、［１］に記載の方法。
［７］前記構成パラメータが複数のセル再選択優先度を示す情報を含み、前記ワイヤレス通信システムが複数のネットワークを含み、前記複数のネットワークのうちの少なくとも１つが前記ユーザ機器の元のサービングネットワークであり、前記複数のネットワークのうちの少なくとも別のネットワークが、前記ユーザ機器に緊急コールサービスを提供するように構成されたネットワークであり、
前記方法が、少なくとも前記構成パラメータを前記修正することに基づいて、前記ユーザ機器の前記元のサービングネットワークとの通信を無効化することと、前記ユーザ機器に緊急コールサービスを提供するように構成された前記ネットワークを優先することとをさらに備える、［１］に記載の方法。
［８］ユーザ機器の構成パラメータを前記修正することが、前記ユーザ機器によって自律的に実行される、［１］に記載の方法。
［９］前記ユーザ機器が電源切断されること、またはタイマーが満了することのうちの少なくとも１つが起こるまで、修正された構成パラメータの値が残存する、［１］に記載の方法。
［１０］前記タイマーの値が前記ユーザ機器において構成される、［９］に記載の方法。
［１１］前記タイマーの値が、前記ワイヤレス通信システムのネットワークによって構成され、前記ワイヤレス通信システムの前記ネットワークによって前記ユーザ機器に送信される、［９］に記載の方法。
［１２］前記タイマーの値が、緊急コールのコールバックを実行するための時間よりも大きい、［９］に記載の方法。
［１３］コンピュータに前記コンピュータの構成パラメータを修正させるためのコードの第１のセットであって、前記構成パラメータが、ワイヤレス通信システム内のネットワーク選択、セル選択または再選択、あるいはサービス選択のうちの少なくとも１つに関係し、修正された構成パラメータが、ユーザ機器によって緊急コールをサポートするように構成されたネットワーク、セルまたはサービスについての前記コンピュータによる優先を生じ、前記コンピュータが前記ユーザ機器中に含まれる、コードの第１のセット
を備える、コンピュータ可読媒体
を備える、コンピュータプログラム製品。
［１４］前記構成パラメータが、前記コンピュータの領域優先モードを示す情報を含み、前記領域優先モードが回線交換領域またはパケット交換領域中の動作についての相対的優先度を備え、
前記コンピュータプログラム製品が、少なくとも前記構成パラメータを前記修正することに基づいて、前記コンピュータに、パケット交換サービスよりも回線交換サービスを優先させるためのコードの第２のセットをさらに備える、［１３］に記載のコンピュータプログラム製品。
［１５］前記コンピュータが、構成パラメータを修正することより前にパケット交換モードで動作するように構成され、前記構成パラメータが、前記コンピュータに緊急コールサービスを提供するように構成されたネットワークを示す情報を含む、［１３］に記載のコンピュータプログラム製品。
［１６］回線交換音声サービスを含む複数の音声サービスが前記ユーザ機器にとって利用可能であり、前記構成パラメータが前記コンピュータの音声領域の優先を示す情報を含み、
前記コンピュータプログラム製品が、少なくとも前記構成パラメータを前記修正することに基づいて、前記コンピュータに、前記回線交換音声サービスを優先的にまたは排他的に利用させるためのコードの第２のセットをさらに備える、［１３］に記載のコンピュータプログラム製品。
［１７］前記構成パラメータが複数のセル再選択優先度を示す情報を含み、前記ワイヤレス通信システムが複数のネットワークを含み、前記複数のネットワークのうちの少なくとも１つが前記コンピュータの元のサービングネットワークであり、前記複数のネットワークのうちの少なくとも別のネットワークが、前記コンピュータに緊急コールサービスを提供するように構成されたネットワークであり、
前記コンピュータプログラム製品が、少なくとも前記構成パラメータを前記修正することに基づいて、前記コンピュータに、前記コンピュータの前記元のサービングネットワークよりも、前記コンピュータに緊急コールサービスを提供するように構成された前記ネットワークを優先させるためのコードの第２のセットをさらに備える、［１３］に記載のコンピュータプログラム製品。
［１８］前記構成パラメータが複数のセル再選択優先度を示す情報を含み、前記ワイヤレス通信システムが複数のネットワークを含み、前記複数のネットワークのうちの少なくとも１つが前記ユーザ機器の元のサービングネットワークであり、前記複数のネットワークのうちの少なくとも別のネットワークが、前記コンピュータに緊急コールサービスを提供するように構成されたネットワークであり、
前記コンピュータプログラム製品は、少なくとも、前記コンピュータが前記元のサービングネットワークから音声サービスを取得することができるかどうかについての前記コンピュータによる判断に基づいて、前記コンピュータに、前記コンピュータに緊急コールサービスを提供するように構成された前記ネットワーク、または前記コンピュータの前記元のサービングネットワークを優先させるためのコードの第２のセットをさらに備える、［１３］に記載のコンピュータプログラム製品。
［１９］前記構成パラメータが複数のセル再選択優先度を示す情報を含み、前記ワイヤレス通信システムが複数のネットワークを含み、前記複数のネットワークのうちの少なくとも１つが前記コンピュータの元のサービングネットワークであり、前記複数のネットワークのうちの少なくとも別のネットワークが、前記コンピュータに緊急コールサービスを提供するように構成されたネットワークであり、
前記コンピュータプログラム製品が、少なくとも前記構成パラメータを前記修正することに基づいて、前記コンピュータに、前記コンピュータの前記元のサービングネットワークとの通信を無効化させ、前記コンピュータに緊急コールサービスを提供するように構成された前記ネットワークを優先させないためのコードの第２のセットをさらに備える、［１３］に記載のコンピュータプログラム製品。
［２０］コンピュータの構成パラメータを前記修正することが、前記コンピュータによって自律的に実行される、［１３］に記載のコンピュータプログラム製品。
［２１］前記コンピュータが電源切断されること、またはタイマーが満了することのうちの少なくとも１つが起こるまで、修正された構成パラメータの値が残存する、［１３］に記載のコンピュータプログラム製品。
［２２］前記タイマーの値が前記コンピュータにおいて構成される、［２１］に記載のコンピュータプログラム製品。
［２３］前記タイマーの値が、前記ワイヤレス通信システムのネットワークによって構成され、前記ワイヤレス通信システムの前記ネットワークによって前記コンピュータに送信される、請求項２１に記載のコンピュータプログラム製品。
［２４］前記タイマーの値が、緊急コールのコールバックを実行するための時間よりも大きい、［２１］に記載のコンピュータプログラム製品。
［２５］装置であって、
ユーザ機器の構成パラメータを修正するための手段であって、前記構成パラメータが、ワイヤレス通信システム内のネットワーク選択、セル選択または再選択、あるいはサービス選択のうちの少なくとも１つに関係し、修正された構成パラメータが、前記装置による緊急コールをサポートするように構成されたネットワーク、セルまたはサービスについての前記装置による優先を生じる、修正するための手段を備える、装置。
［２６］前記構成パラメータが、前記装置の領域優先モードを示す情報を含み、前記領域優先モードが回線交換領域またはパケット交換領域中の動作についての相対的優先度を備え、
前記装置が、少なくとも前記構成パラメータを前記修正することに基づいて、パケット交換サービスよりも回線交換サービスを優先させるための手段をさらに備える、［２５］に記載の装置。
［２７］前記装置が、構成パラメータを修正することより前にパケット交換モードで動作するように構成され、前記構成パラメータが、前記装置に緊急コールサービスを提供するように構成されたネットワークを示す情報を含む、［２５］に記載の装置。
［２８］回線交換音声サービスを含む複数の音声サービスが前記装置にとって利用可能であり、前記構成パラメータが前記装置の音声領域の優先を示す情報を含み、
前記装置が、少なくとも前記構成パラメータを前記修正することに基づいて、前記回線交換音声サービスを優先的にまたは排他的に利用するための手段をさらに備える、［２５］に記載の装置。
［２９］前記構成パラメータが複数のセル再選択優先度を示す情報を含み、前記ワイヤレス通信システムが複数のネットワークを含み、前記複数のネットワークのうちの少なくとも１つが前記装置の元のサービングネットワークであり、前記複数のネットワークのうちの少なくとも別のネットワークが、前記装置に緊急コールサービスを提供するように構成されたネットワークであり、
前記装置が、少なくとも前記構成パラメータを前記修正することに基づいて、前記装置の前記元のサービングネットワークよりも、前記装置に緊急コールサービスを提供するように構成された前記ネットワークを優先させるための手段をさらに備える、［２５］に記載の装置。
［３０］前記構成パラメータが複数のセル再選択優先度を示す情報を含み、前記ワイヤレス通信システムが複数のネットワークを含み、前記複数のネットワークのうちの少なくとも１つが前記装置の元のサービングネットワークであり、前記複数のネットワークのうちの少なくとも別のネットワークが、前記装置に緊急コールサービスを提供するように構成されたネットワークであり、
前記装置は、少なくとも、前記ユーザ機器が前記元のサービングネットワークから音声サービスを取得することができるかどうかについての前記装置による判断に基づいて、前記装置に緊急コールサービスを提供するように構成された前記ネットワーク、または前記装置の前記元のサービングネットワークを優先させるための手段をさらに備える、［２５］に記載の装置。
［３１］前記構成パラメータが複数のセル再選択優先度を示す情報を含み、前記ワイヤレス通信システムが複数のネットワークを含み、前記複数のネットワークのうちの少なくとも１つが前記装置の元のサービングネットワークであり、前記複数のネットワークのうちの少なくとも別のネットワークが、前記装置に緊急コールサービスを提供するように構成されたネットワークであり、
前記装置が、少なくとも前記構成パラメータを前記修正することに基づいて、前記装置の前記元のサービングネットワークとの通信を無効化し、前記装置に緊急コールサービスを提供するように構成された前記ネットワークを優先するための手段をさらに備える、［２５］に記載の装置。
［３２］装置の構成パラメータを前記修正することが、前記ユーザ機器によって自律的に実行される、［２５］に記載の装置。
［３３］前記装置が電源切断されること、またはタイマーが満了することのうちの少なくとも１つが起こるまで、修正された構成パラメータの値が残存する、［２５］に記載の装置。
［３４］前記タイマーの値が前記装置において構成される、［３３］に記載の装置。
［３５］前記タイマーの値が、前記ワイヤレス通信システムのネットワークによって構成され、前記ワイヤレス通信システムの前記ネットワークによって前記装置に送信される、［３３］に記載の装置。
［３６］前記タイマーの値が、緊急コールのコールバックを実行するための時間よりも大きい、［３３］に記載の装置。
［３７］装置であって、
ユーザ機器の構成パラメータを修正することであって、前記構成パラメータが、ワイヤレス通信システム内のネットワーク選択、セル選択または再選択、あるいはサービス選択のうちの少なくとも１つに関係し、修正された構成パラメータが、前記装置による緊急コールをサポートするように構成されたネットワーク、セルまたはサービスについての前記装置による優先を生じ、前記装置がユーザ機器である、修正すること
を行うように構成された構成モジュール
を備える、装置。
［３８］前記構成パラメータが、前記装置の領域優先モードを示す情報を含み、前記領域優先モードが回線交換領域またはパケット交換領域中の動作についての相対的優先度を備え、
前記構成モジュールが、少なくとも前記構成パラメータを前記修正することに基づいて、パケット交換サービスよりも回線交換サービスを優先させるようにさらに構成された、［３７］に記載の装置。
［３９］前記装置が、構成パラメータを修正することより前にパケット交換モードで動作するように構成され、前記構成パラメータが、前記装置に緊急コールサービスを提供するように構成されたネットワークを示す情報を含む、［３７］に記載の装置。
［４０］回線交換音声サービスを含む複数の音声サービスが前記装置にとって利用可能であり、前記構成パラメータが前記装置の音声領域の優先を示す情報を含み、
前記構成モジュールが、少なくとも前記構成パラメータを前記修正することに基づいて、前記回線交換音声サービスを優先的にまたは排他的に利用するようにさらに構成された、［３７］に記載の装置。
［４１］前記構成パラメータが複数のセル再選択優先度を示す情報を含み、前記ワイヤレス通信システムが複数のネットワークを含み、前記複数のネットワークのうちの少なくとも１つが前記装置の元のサービングネットワークであり、前記複数のネットワークのうちの少なくとも別のネットワークが、前記装置に緊急コールサービスを提供するように構成されたネットワークであり、
前記構成モジュールが、少なくとも前記構成パラメータを前記修正することに基づいて、前記装置の前記元のサービングネットワークよりも、前記装置に緊急コールサービスを提供するように構成された前記ネットワークを優先させるようにさらに構成された、［３７］に記載の装置。
［４２］前記構成パラメータが複数のセル再選択優先度を示す情報を含み、前記ワイヤレス通信システムが複数のネットワークを含み、前記複数のネットワークのうちの少なくとも１つが前記装置の元のサービングネットワークであり、前記複数のネットワークのうちの少なくとも別のネットワークが、前記装置に緊急コールサービスを提供するように構成されたネットワークであり、
前記構成モジュールは、少なくとも、前記ユーザ機器が前記元のサービングネットワークから音声サービスを取得することができるかどうかについての前記装置による判断に基づいて、前記装置に緊急コールサービスを提供するように構成された前記ネットワーク、または前記装置の前記元のサービングネットワークを優先させるようにさらに構成された、［３７］に記載の装置。
［４３］前記構成パラメータが複数のセル再選択優先度を示す情報を含み、前記ワイヤレス通信システムが複数のネットワークを含み、前記複数のネットワークのうちの少なくとも１つが前記装置の元のサービングネットワークであり、前記複数のネットワークのうちの少なくとも別のネットワークが、前記装置に緊急コールサービスを提供するように構成されたネットワークであり、
前記構成モジュールが、少なくとも前記構成パラメータを前記修正することに基づいて、前記装置の前記元のサービングネットワークとの通信を無効化し、前記装置に緊急コールサービスを提供するように構成された前記ネットワークを優先するようにさらに構成された、［３７］に記載の装置。
［４４］装置の構成パラメータを前記修正することが、前記ユーザ機器によって自律的に実行される、［３７］に記載の装置。
［４５］前記装置が電源切断されること、またはタイマーが満了することのうちの少なくとも１つが起こるまで、修正された構成パラメータの値が残存する、［３７］に記載の装置。
［４６］前記タイマーの値が前記装置において構成される、［４５］に記載の装置。
［４７］前記タイマーの値が、前記ワイヤレス通信システムのネットワークによって構成され、前記ワイヤレス通信システムの前記ネットワークによって前記装置に送信される、［４５］に記載の装置。
［４８］前記タイマーの値が、緊急コールのコールバックを実行するための時間よりも大きい、［４５］に記載の装置。
［４９］ワイヤレス通信システムにおける緊急コールサービスを可能にするための方法であって、前記方法が、
ユーザ機器から緊急コールの開始についての要求を示す情報を受信することと、
緊急コールサービスを受信すること、または前記ユーザ機器に緊急コールサービスを提供することであって、受信すること、または提供することは、少なくとも、前記ユーザ機器がユーザ機器の構成パラメータを修正することに基づいてネットワークによって実行され、前記構成パラメータが、前記ワイヤレス通信システム内のネットワーク選択、セル選択または再選択、あるいはサービス選択のうちの少なくとも１つに関係し、修正された構成パラメータが、前記ネットワークについての前記ユーザ機器による優先を生じる、受信すること、または提供することと
を備える、方法。
［５０］修正された構成パラメータの値が残存する間、ユーザ機器に緊急コールサービスを前記提供することが実行され、前記ユーザ機器が電源切断されること、またはタイマーが満了することのうちの少なくとも１つが起こるまで、修正された構成パラメータの前記値が残存する、［４９］に記載の方法。
［５１］緊急コールの終了または失敗後に、前記ユーザ機器に対して前記緊急コールのコールバックを開始することをさらに備え、前記修正された構成パラメータの前記値が残存する間、コールバックを開始することが実行される、［５０］に記載の方法。
［５２］コンピュータに、ユーザ機器から緊急コールの開始についての要求を示す情報を受信させるためのコードの第１のセットと、
前記コンピュータに、緊急コールサービスを受信すること、または前記ユーザ機器に緊急コールサービスを提供することを行わせるためのコードの第２のセットであって、受信すること、または提供することは、少なくとも、前記ユーザ機器がユーザ機器の構成パラメータを修正することに基づいて前記コンピュータによって実行され、前記構成パラメータが、ワイヤレス通信システム内のネットワーク選択、セル選択または再選択、あるいはサービス選択のうちの少なくとも１つに関係し、修正された構成パラメータが、前記ユーザ機器に緊急コールサービスを提供するように構成されたネットワークについての前記ユーザ機器による優先を生じる、コードの第２のセットと
を備える、コンピュータ可読媒体
を備える、コンピュータプログラム製品。
［５３］修正された構成パラメータの値が残存する間、緊急コールサービスを受信すること、またはユーザ機器に緊急コールサービスを提供することが実行され、前記ユーザ機器が電源切断されること、またはタイマーが満了することのうちの少なくとも１つが起こるまで、修正された構成パラメータの前記値が残存する、［５２］に記載のコンピュータプログラム製品。
［５４］前記コンピュータに、前記緊急コールの終了または失敗後に、前記ユーザ機器に対して緊急コールのコールバックを開始させるためのコードの第３のセットであって、修正された構成パラメータの前記値が残存する間、コールバックを開始することが実行される、コードの第３のセットをさらに備える、［５３］に記載のコンピュータプログラム製品。
［５５］装置であって、
ユーザ機器から緊急コールの開始についての要求を示す情報を受信するための手段と、
緊急コールサービスを受信すること、または前記ユーザ機器に緊急コールサービスを提供するための手段であって、受信すること、または提供することが、少なくとも、前記ユーザ機器がユーザ機器の構成パラメータを修正することに基づいて前記装置によって実行され、前記構成パラメータが、ワイヤレス通信システム内のネットワーク選択、セル選択または再選択、あるいはサービス選択のうちの少なくとも１つに関係し、修正された構成パラメータが、前記ユーザ機器に緊急コールサービスを提供するように構成されたネットワークについての前記ユーザ機器による優先を生じる、受信すること、または提供するための手段と
を備える、装置。
［５６］修正された構成パラメータの値が残存する間、緊急コールサービスを受信すること、またはユーザ機器に緊急コールサービスを前記提供することが実行され、前記ユーザ機器が電源切断されること、またはタイマーが満了することのうちの少なくとも１つが起こるまで、修正された構成パラメータの前記値が残存する、［５５］に記載の装置。
［５７］緊急コールの終了または失敗後に、前記ユーザ機器に対して前記緊急コールのコールバックを開始するための手段をさらに備え、修正された構成パラメータの前記値が残存する間、コールバックを開始することが実行される、［５６］に記載の装置。
［５８］装置であって、
ユーザ機器から緊急コールの開始についての要求を示す情報を受信することと、
緊急コールサービスを受信すること、または前記ユーザ機器に緊急コールサービスを提供することであって、受信すること、または提供することが、少なくとも、前記ユーザ機器がユーザ機器の構成パラメータを修正することに基づいて前記装置によって実行され、前記構成パラメータが、ワイヤレス通信システム内のネットワーク選択、セル選択または再選択、あるいはサービス選択のうちの少なくとも１つに関係し、修正された構成パラメータが、前記ユーザ機器に緊急コールサービスを提供するように構成されたネットワークについての前記ユーザ機器による優先を生じる、受信すること、または提供することと
を行うように構成された構成モジュール
を備える、装置。
［５９］修正された構成パラメータの値が残存する間、ユーザ機器に緊急コールサービスを前記提供することが実行され、前記ユーザ機器が電源切断されること、またはタイマーが満了することのうちの少なくとも１つが起こるまで、修正された構成パラメータの前記値が残存する、［５８］に記載の装置。
［６０］前記構成モジュールは、緊急コールの終了または失敗後に、前記ユーザ機器に対して前記緊急コールのコールバックを開始するようにさらに構成され、修正された構成パラメータの前記値が残存する間、コールバックを開始することが実行される、［５９］に記載の装置。
【外国語明細書】
2014090476000001.pdf